(57)【特許請求の範囲】
【請求項１】
電荷を有する第１粒子が分散された第１流体を含む第１単位セルと、
電荷を有する第２粒子が分散された第２流体を含む第２単位セルと、
前記第１単位セル及び前記第２単位セルに対して電極を介して電場を印加する電場印加部と、
前記印加される電場強度及び印加時間のうち少なくとも１つを調節することによって、前記第１単位セル及び前記第２単位セルから表示されるカラーを制御する制御部と、を含み、
前記第１粒子及び前記第２粒子は、それぞれのスレショルド値未満の強度の電場が印加されるか、それぞれの応答時間未満の間に電場が印加される場合には動かず、それぞれのスレショルド値以上の強度の電場がそれぞれの応答時間以上印加される場合には動き、
電場強度を調節する場合、前記第１粒子のスレショルド値と前記第２粒子のスレショルド値は、互いに異なって設定され、
電場の印加時間を調節する場合、前記第１粒子の応答時間と前記第２粒子の応答時間は、互いに異なって設定され、
前記第２粒子の応答時間が、前記第１粒子の応答時間よりも大きく設定された場合に、
前記第１粒子の応答時間未満の間に電場が印加されれば、前記第１粒子及び前記第２粒子がいずれも動かず、
前記第１粒子の応答時間以上、前記第２粒子の応答時間未満の間に電場が印加されれば、前記第１粒子が、前記電場による電気的な力によって動き、
前記第２粒子の応答時間以上電場が印加されれば、前記第１粒子及び前記第２粒子いずれもが、前記電場による電気的な力によって動き、
前記第１粒子に対して印加される電場強度または印加時間を調節することにより光透過度が調節され、
反射型表示装置の光透過度は、第１粒子が不規則的に散在されている第１状態、前記第１粒子が前記電極側に移動して光透過度が増加する第２状態、及び前記第１粒子が前記電極側に完全に移動して光透過度がさらに増加する第３状態を含むように調節されることを特徴とする反射型表示装置。
【請求項２】
前記第１粒子または前記第２粒子のスレショルド値及び応答時間のうち少なくとも１つは、前記第１粒子または前記第２粒子の表面電荷、ゼータ電位、誘電定数、比重、密度、サイズ、形状及び構造、前記第１粒子または前記第２粒子が分散された流体の誘電定数、粘度及び比重、前記第１粒子または前記第２粒子が分散された流体内に添加される添加剤、前記電場印加部の電極パターン、電極間隔、電極サイズ及び電極材料、前記電場印加部によって、前記第１粒子または前記第２粒子に実質的に加えられる電場のうち少なくとも１つを調節することで設定されることを特徴とする請求項１に記載の反射型表示装置。
【請求項３】
前記第２粒子のスレショルド値が、前記第１粒子のスレショルド値よりも大きく設定された場合に、
前記第１粒子のスレショルド値未満の強度の電場が印加されれば、前記第１粒子及び前記第２粒子がいずれも動かず、
前記第１粒子のスレショルド値以上、前記第２粒子のスレショルド値未満の強度の電場が印加されれば、前記第１粒子が、前記電場による電気的な力によって動き、
前記第２粒子のスレショルド値以上の強度の電場が印加されれば、前記第１粒子及び前記第２粒子いずれもが、前記電場による電気的な力によって動くことを特徴とする請求項１に記載の反射型表示装置。
【請求項４】
前記第２粒子のスレショルド値が、前記第１粒子のスレショルド値よりも大きく設定され、前記第１粒子の応答時間が、前記第２粒子の応答時間よりも大きく設定された場合に、
前記第１粒子のスレショルド値未満の強度の電場が、前記第２粒子の応答時間未満の間に印加されれば、前記第１粒子及び前記第２粒子がいずれも動かず、
前記第２粒子のスレショルド値以上の強度の電場が、前記第２粒子の応答時間以上、前記第１粒子の応答時間未満の間に印加されれば、前記第２粒子が、前記電場による電気的な力によって動き、
前記第１粒子のスレショルド値以上、前記第２粒子のスレショルド値未満の強度の電場が、前記第１粒子の応答時間以上印加されれば、前記第１粒子が、前記電場による電気的な力によって動き、
前記第２粒子のスレショルド値以上の強度の電場が、前記第１粒子の応答時間以上印加されれば、前記第１粒子及び前記第２粒子いずれもが、前記電場による電気的な力によって動くことを特徴とする請求項１に記載の反射型表示装置。
【請求項５】
前記第２粒子のスレショルド値が、前記第１粒子のスレショルド値よりも大きく設定された場合に、
前記第２粒子のスレショルド値未満の範囲内で、前記印加される電場強度、前記電場の方向、前記電場の印加時間、前記電場の印加回数及び前記電場の印加周期のうち少なくとも１つを調節することによって、表示されるカラーの明暗度を調節することを特徴とする請求項１に記載の反射型表示装置。
【請求項６】
前記制御部は、前記電場が印加された時点に、既定の時間経過後に、強度が前記電場強度よりも小さいか、印加時間が前記電場の印加時間よりも小さな更新電場が、前記第１粒子及び前記第２粒子に対して印加させることを特徴とする請求項１に記載の反射型表示装置。
【請求項７】
前記第１単位セル及び前記第２単位セルは、透光性物質からなるカプセルによって定義されることを特徴とする請求項１に記載の反射型表示装置。
【請求項８】
前記第１単位セル及び前記第２単位セルは、表示面に垂直な方向に形成される隔壁によって定義されることを特徴とする請求項１に記載の反射型表示装置。
【請求項９】
電荷を有する第１粒子が分散された第１流体を含む第１単位セル、及び電荷を有する第２粒子が分散された第２流体を含む第２単位セルに対して電極を介して電場を印加する段階と、
前記印加される電場強度及び印加時間のうち少なくとも１つを調節することによって、前記第１単位セル及び前記第２単位セルから表示されるカラーを制御する段階と、を含み、
前記第１粒子及び前記第２粒子は、それぞれのスレショルド値未満の強度の電場が印加されるか、それぞれの応答時間未満の間に電場が印加される場合には動かず、それぞれのスレショルド値以上の強度の電場がそれぞれの応答時間以上印加される場合には動き、
電場強度を調節する場合、前記第１粒子のスレショルド値と前記第２粒子のスレショルド値は、互いに異なって設定され、
電場の印加時間を調節する場合、前記第１粒子の応答時間と前記第２粒子の応答時間は、互いに異なって設定され、
前記第２粒子の応答時間が、前記第１粒子の応答時間よりも大きく設定された場合に、
前記第１粒子の応答時間未満の間に電場が印加されれば、前記第１粒子及び前記第２粒子がいずれも動かず、
前記第１粒子の応答時間以上、前記第２粒子の応答時間未満の間に電場が印加されれば、前記第１粒子が、前記電場による電気的な力によって動き、
前記第２粒子の応答時間以上電場が印加されれば、前記第１粒子及び前記第２粒子いずれもが、前記電場による電気的な力によって動き、
前記第１粒子に対して印加される電場強度または印加時間を調節することにより光透過度が調節され、
反射型表示装置の光透過度は、第１粒子が不規則的に散在されている第１状態、前記第１粒子が前記電極側に移動して光透過度が増加する第２状態、及び前記第１粒子が前記電極側に完全に移動して光透過度がさらに増加する第３状態を含むように調節されることを特徴とする反射型表示装置を制御するための方法。
【発明の詳細な説明】
【技術分野】
【０００１】
本発明は、反射型表示装置及びその制御方法に関する。より具体的に、本発明は、粒子を移動させるための電場の最小強度（すなわち、スレショルド値）または最小印加時間（すなわち、応答時間）が互いに異なる複数の粒子いずれもに対して多様なパターンの電場を印加することによって、複数の粒子を独立して駆動するための複雑な駆動手段を備えずとも、透光度を調節するか、多様なカラーを表示することができる反射型表示装置及びその制御方法に関する。
【背景技術】
【０００２】
反射型表示装置は、野外での優れた視認性、優れた低電力特性などの長所を保有しているために、電子ブック、モバイルディスプレイ、屋外ディスプレイなどの多様な分野で広範囲に使われている。
【０００３】
反射型表示装置の代表的な技術の１つとして、帯電された粒子を誘電体に分散させた状態で電気泳動の原理を用いて帯電された粒子の位置を調節することによって、情報を表示する電気泳動ディスプレイ（ＥＰＤ：Ｅｌｅｃｔｒｏｐｈｏｒｅｔｉｃ  Ｄｉｓｐｌａｙ）技術が例として挙げられる。
【０００４】
しかし、既存の電気泳動ディスプレイは、印加される電場強度が増加するにつれて、粒子が動く程度が線形的に増加するために、既存の電気泳動ディスプレイを受動配列（ｐａｓｓｉｖｅ  ａｒｒａｙ）方式で駆動しにくく、薄膜トランジスタ（ＴＦＴ）が適用された能動配列（ａｃｔｉｖｅ  ａｒｒａｙ）方式で駆動するか、それぞれの電極を個別的に駆動するセグメント（ｓｅｇｍｅｎｔ）方式で駆動するしかないという限界を有している。
【０００５】
一方、電気泳動ディスプレイは、粒子の移動に使われる媒介体によって粒子が空気中で移動する乾式方式と、粒子が流体内で移動する湿式方式とに区分されうる。また、電気泳動ディスプレイで、カラーを具現するための技術として、カラーフィルターを利用する方式、カラー粒子またはカラー流体を利用する方式などを例として挙げられる。そのうち、カラーフィルターを利用する方式の場合に、色再現性が落ち、製造コストが増加するという問題点があり、カラー粒子またはカラー流体を利用する場合には、カラー粒子やカラー流体を選択的に注入することができる精密なカラーアドレッシング技術が要求されるという問題点がある。
【０００６】
図１は、従来技術による反射型表示装置（すなわち、電気泳動ディスプレイ）の構成を例示的に示す図面である。図１を参照すれば、湿式方式で駆動される反射型表示装置１００として、カラー流体１７０、１８０、１９０、１９５を用いてカラーを具現する反射型表示装置１００が示されている。図１に示された従来の反射型表示装置１００では、カプセル１５０のカラー流体１７０、１８０、１９０、１９５内に分散された負電荷または正電荷を有する粒子１６０に電場を印加して、粒子１６０を透明な上部基板１１０及び上部電極１２０の方向に移動させることによって、カラー流体１７０、１８０、１９０、１９５または粒子１６０が有した固有のカラーを表示させうる。
【０００７】
このような従来の反射型表示装置１００によれば、各カプセル１５０内の粒子１６０を独立して駆動するために、カプセル１５０ごとに独立して駆動される下部電極１４０が設けられねばならず、互いに対応するカプセル１５０と下部電極１４０とが正確にアドレッシングされなければならないので、反射型表示装置１００を製造するための工程が複雑になるという問題が発生する。
【発明の概要】
【発明が解決しようとする課題】
【０００８】
本発明は、粒子を移動させるための電場の最小強度（すなわち、スレショルド値）または最小印加時間（すなわち、応答時間）が互いに異なる複数の粒子いずれもに対して多様なパターンの電場を印加することによって、複数の粒子を独立して駆動するための複雑な駆動手段を備えるか、複雑な製造工程を経ずとも、透光度を調節するか、多様なカラーを表示することができる反射型表示装置及びその制御方法を提供することを目的とする。
【課題を解決するための手段】
【０００９】
本発明による反射型表示装置は、電荷を有する第１粒子が分散された第１流体を含む第１単位セルと、電荷を有する第２粒子が分散された第２流体を含む第２単位セルと、前記第１単位セル及び前記第２単位セルに対して電極を介して電場を印加する電場印加部と、前記印加される電場強度及び印加時間のうち少なくとも１つを調節することによって、前記第１単位セル及び前記第２単位セルから表示されるカラーを制御する制御部と、を含み、前記第１粒子及び前記第２粒子は、それぞれのスレショルド値未満の強度の電場が印加されるか、それぞれの応答時間未満の間に電場が印加される場合には動かず、それぞれのスレショルド値以上の強度の電場がそれぞれの応答時間以上印加される場合には動き、電場強度を調節する場合、前記第１粒子のスレショルド値と前記第２粒子のスレショルド値は、互いに異なって設定され、電場の印加時間を調節する場合、前記第１粒子の応答時間と前記第２粒子の応答時間は、互いに異なって設定され、前記第２粒子の応答時間が、前記第１粒子の応答時間よりも大きく設定された場合に、前記第１粒子の応答時間未満の間に電場が印加されれば、前記第１粒子及び前記第２粒子がいずれも動かず、前記第１粒子の応答時間以上、前記第２粒子の応答時間未満の間に電場が印加されれば、前記第１粒子が、前記電場による電気的な力によって動き、前記第２粒子の応答時間以上電場が印加されれば、前記第１粒子及び前記第２粒子いずれもが、前記電場による電気的な力によって動き、前記第１粒子に対して印加される電場強度または印加時間を調節することにより光透過度が調節され、反射型表示装置の光透過度は、第１粒子が不規則的に散在されている第１状態、前記第１粒子が前記電極側に移動して光透過度が増加する第２状態、及び前記第１粒子が前記電極側に完全に移動して光透過度がさらに増加する第３状態を含むように調節されることを特徴とする。
【００１２】
前記第１粒子または前記第２粒子のスレショルド値及び応答時間のうち少なくとも１つは、前記第１粒子または前記第２粒子の表面電荷、ゼータ電位、誘電定数、比重、密度、サイズ、形状及び構造、前記第１粒子または前記第２粒子が分散された流体の誘電定数、粘度及び比重、前記第１粒子または前記第２粒子が分散された流体内に添加される添加剤、前記電場印加部の電極パターン、電極間隔、電極サイズ及び電極材料、前記電場印加部によって、前記第１粒子または前記第２粒子に実質的に加えられる電場のうち少なくとも１つを調節することで設定しうる。
【００１３】
前記第２粒子のスレショルド値が、前記第１粒子のスレショルド値よりも大きく設定された場合に、前記第１粒子のスレショルド値未満の強度の電場が印加されれば、前記第１粒子及び前記第２粒子がいずれも動かず、前記第１粒子のスレショルド値以上、前記第２粒子のスレショルド値未満の強度の電場が印加されれば、前記第１粒子が、前記電場による電気的な力によって動き、前記第２粒子のスレショルド値以上の強度の電場が印加されれば、前記第１粒子及び前記第２粒子いずれもが、前記電場による電気的な力によって動く。
【００１５】
前記第２粒子のスレショルド値が、前記第１粒子のスレショルド値よりも大きく設定され、前記第１粒子の応答時間が、前記第２粒子の応答時間よりも大きく設定された場合に、前記第１粒子のスレショルド値未満の強度の電場が、前記第２粒子の応答時間未満の間に印加されれば、前記第１粒子及び前記第２粒子がいずれも動かず、前記第２粒子のスレショルド値以上の強度の電場が、前記第２粒子の応答時間以上、前記第１粒子の応答時間未満の間に印加されれば、前記第２粒子が、前記電場による電気的な力によって動き、前記第１粒子のスレショルド値以上、前記第２粒子のスレショルド値未満の強度の電場が、前記第１粒子の応答時間以上印加されれば、前記第１粒子が、前記電場による電気的な力によって動き、前記第２粒子のスレショルド値以上の強度の電場が、前記第１粒子の応答時間以上印加されれば、前記第１粒子及び前記第２粒子いずれもが、前記電場による電気的な力によって動く。
【００１６】
前記第２粒子のスレショルド値が、前記第１粒子のスレショルド値よりも大きく設定された場合に、
前記第２粒子のスレショルド値未満の範囲内で、前記印加される電場強度、前記電場の方向、前記電場の印加時間、前記電場の印加回数及び前記電場の印加周期のうち少なくとも１つを調節することによって、表示されるカラーの明暗度を調節することができる。
【００１８】
前記制御部は、前記電場が印加された時点に、既定の時間経過後に、強度が前記電場強度よりも小さいか、印加時間が前記電場の印加時間よりも小さな更新電場が、前記第１粒子及び前記第２粒子に対して印加させうる。
【００１９】
前記第１単位セル及び前記第２単位セルは、透光性物質からなるカプセルによって定義されうる。
【００２０】
前記第１単位セル及び前記第２単位セルは、表示面に垂直な方向に形成される隔壁によって定義されうる。
【００２１】
前記第１粒子が表示面と平行な方向に分散された程度が大きいほど、前記入射光の透光度が低くなる。
【００２２】
前記第１粒子が表示面と平行な方向に分散された程度が大きいほど、前記第２粒子によって表示されるカラーの明度が低くなる。
【００２３】
前記第２粒子が表示面と平行な方向に分散された程度が大きいほど、前記第２粒子によって表示されるカラーの彩度が高くなる。
【００２４】
透光性物質からなるカプセル及び表示面に垂直な方向に形成される隔壁のうち少なくとも１つによって定義され、前記第１粒子及び前記第２粒子を含む少なくとも１つの単位セルをさらに含みうる。
【００２５】
前記第１粒子、前記第２粒子、前記流体、前記電極、前記上部基板及び前記下部基板のうち少なくとも２つは、互いに異なるカラーを有しうる。
【００２６】
前記第１粒子、前記第２粒子、前記流体、前記電極、前記上部基板及び前記下部基板のうち少なくとも１つは、透光性物質からなりうる。
【００２７】
前記電極は、上部電極と、少なくとも２つの部分電極で構成される下部電極と、を含みうる。
【００２８】
前記電場は、前記上部電極と前記下部電極との第１部分電極の間、前記上部電極と前記下部電極との第２部分電極の間、及び前記下部電極の第１部分電極と前記下部電極の第２部分電極との間のうち少なくとも一箇所に印加されうる。
【００２９】
前記電極は、表示面の一部のみをカバーするように形成されうる。
【００３０】
前記第１粒子及び前記第２粒子は、互いに異なる符号の電荷を有しうる。
【００３１】
そして、本発明による反射型表示装置を制御するための方法は、電荷を有する第１粒子が分散された第１流体を含む第１単位セル、及び電荷を有する第２粒子が分散された第２流体を含む第２単位セルに対して電極を介して電場を印加する段階と、前記印加される電場強度及び印加時間のうち少なくとも１つを調節することによって、前記第１単位セル及び前記第２単位セルから表示されるカラーを制御する段階と、を含み、前記第１粒子及び前記第２粒子は、それぞれのスレショルド値未満の強度の電場が印加されるか、それぞれの応答時間未満の間に電場が印加される場合には動かず、それぞれのスレショルド値以上の強度の電場がそれぞれの応答時間以上印加される場合には動き、電場強度を調節する場合、前記第１粒子のスレショルド値と前記第２粒子のスレショルド値は、互いに異なって設定され、電場の印加時間を調節する場合、前記第１粒子の応答時間と前記第２粒子の応答時間は、互いに異なって設定され、前記第２粒子の応答時間が、前記第１粒子の応答時間よりも大きく設定された場合に、前記第１粒子の応答時間未満の間に電場が印加されれば、前記第１粒子及び前記第２粒子がいずれも動かず、前記第１粒子の応答時間以上、前記第２粒子の応答時間未満の間に電場が印加されれば、前記第１粒子が、前記電場による電気的な力によって動き、前記第２粒子の応答時間以上電場が印加されれば、前記第１粒子及び前記第２粒子いずれもが、前記電場による電気的な力によって動き、前記第１粒子に対して印加される電場強度または印加時間を調節することにより光透過度が調節され、反射型表示装置の光透過度は、第１粒子が不規則的に散在されている第１状態、前記第１粒子が前記電極側に移動して光透過度が増加する第２状態、及び前記第１粒子が前記電極側に完全に移動して光透過度がさらに増加する第３状態を含むように調節されることを特徴とする。
【発明の効果】
【００３４】
本発明によれば、特定の電場を選択的に印加するのに必要なＴＦＴ（Ｔｈｉｎ  Ｆｉｌｍ  Ｔｒａｎｓｉｓｔｏｒ）のような駆動手段を備えるか、複数のカラーを選択的に表示するための複雑な電極パターンを形成する必要なく、スレショルド値または応答時間が互いに異なる少なくとも２種の粒子に対して印加される電場強度や時間を制御することによって、透光度を調節するか、多様なカラーの明度または彩度を調節できる効果が達成される。
【００３５】
また、本発明によれば、互いに異なるカラーを示す単位セル（例えば、カプセル、バンク、隔壁など）または粒子を特定のパターンによって精密に配列させずとも、互いに異なるカラーを示す単位セルまたは粒子の混合比率のみを調節して、駆動電極間に一度に注入させる非常に単純な製造工程のみでも、透光度を調節するか、多様なカラーの明度または彩度を調節する反射型表示装置を具現できる効果が達成される。
【００３６】
また、本発明によれば、多様なカラーを具現するために、カラーフィルターを使う必要がないので、製造コストを節減し、色再現性を高めうる効果が達成される。
【００３７】
また、本発明によれば、隣接する単位セルが互いにサブセル（ｓｕｂ  ｃｅｌｌ）としての役割を行うことができるので、単位セルの内部での、または互いに異なる単位セル間の混色を防ぐための別個のブラックマトリックス（ｂｌａｃｋ  ｍａｔｒｉｘ）を備える必要なくなる効果が達成される。
【図面の簡単な説明】
【００３８】
【図１】従来技術による反射型表示装置の構成を例示的に示す図面である。
【図２】本発明の一実施例によって反射型表示装置の構成を例示的に示す図面である。
【図３】本発明の一実施例によって反射型表示装置の各カプセルに含まれる粒子を移動させるための電場強度のスレショルド値を例示的に示す図面である。
【図４Ａ】本発明の一実施例によって反射型表示装置に多様なパターンの電場を印加する構成を例示的に示す図面である。
【図４Ｂ】本発明の一実施例によって反射型表示装置に多様なパターンの電場を印加する構成を例示的に示す図面である。
【図４Ｃ】本発明の一実施例によって反射型表示装置に多様なパターンの電場を印加する構成を例示的に示す図面である。
【図４Ｄ】本発明の一実施例によって反射型表示装置に多様なパターンの電場を印加する構成を例示的に示す図面である。
【図４Ｅ】本発明の一実施例によって反射型表示装置に多様なパターンの電場を印加する構成を例示的に示す図面である。
【図４Ｆ】本発明の一実施例によって反射型表示装置に多様なパターンの電場を印加する構成を例示的に示す図面である。
【図４Ｇ】本発明の一実施例によって反射型表示装置に多様なパターンの電場を印加する構成を例示的に示す図面である。
【図４Ｈ】本発明の一実施例によって反射型表示装置に多様なパターンの電場を印加する構成を例示的に示す図面である。
【図４Ｉ】本発明の一実施例によって反射型表示装置に多様なパターンの電場を印加する構成を例示的に示す図面である。
【図４Ｊ】本発明の一実施例によって反射型表示装置に多様なパターンの電場を印加する構成を例示的に示す図面である。
【図４Ｋ】本発明の一実施例によって反射型表示装置に多様なパターンの電場を印加する構成を例示的に示す図面である。
【図４Ｌ】本発明の一実施例によって反射型表示装置に多様なパターンの電場を印加する構成を例示的に示す図面である。
【図４Ｍ】本発明の一実施例によって反射型表示装置に多様なパターンの電場を印加する構成を例示的に示す図面である。
【図４Ｎ】本発明の一実施例によって反射型表示装置に多様なパターンの電場を印加する構成を例示的に示す図面である。
【図４Ｏ】本発明の一実施例によって反射型表示装置に多様なパターンの電場を印加する構成を例示的に示す図面である。
【図４Ｐ】本発明の一実施例によって反射型表示装置に多様なパターンの電場を印加する構成を例示的に示す図面である。
【図５】本発明の一実施例によって反射型表示装置の各カプセルに含まれる粒子を移動させるための電場の最小印加時間（すなわち、粒子の応答時間）を例示的に示す図面である。
【図６Ａ】本発明の一実施例によって反射型表示装置に多様なパターンの電場を印加する構成を例示的に示す図面である。
【図６Ｂ】本発明の一実施例によって反射型表示装置に多様なパターンの電場を印加する構成を例示的に示す図面である。
【図６Ｃ】本発明の一実施例によって反射型表示装置に多様なパターンの電場を印加する構成を例示的に示す図面である。
【図６Ｄ】本発明の一実施例によって反射型表示装置に多様なパターンの電場を印加する構成を例示的に示す図面である。
【図６Ｅ】本発明の一実施例によって反射型表示装置に多様なパターンの電場を印加する構成を例示的に示す図面である。
【図６Ｆ】本発明の一実施例によって反射型表示装置に多様なパターンの電場を印加する構成を例示的に示す図面である。
【図６Ｇ】本発明の一実施例によって反射型表示装置に多様なパターンの電場を印加する構成を例示的に示す図面である。
【図６Ｈ】本発明の一実施例によって反射型表示装置に多様なパターンの電場を印加する構成を例示的に示す図面である。
【図６Ｉ】本発明の一実施例によって反射型表示装置に多様なパターンの電場を印加する構成を例示的に示す図面である。
【図６Ｊ】本発明の一実施例によって反射型表示装置に多様なパターンの電場を印加する構成を例示的に示す図面である。
【図６Ｋ】本発明の一実施例によって反射型表示装置に多様なパターンの電場を印加する構成を例示的に示す図面である。
【図６Ｌ】本発明の一実施例によって反射型表示装置に多様なパターンの電場を印加する構成を例示的に示す図面である。
【図６Ｍ】本発明の一実施例によって反射型表示装置に多様なパターンの電場を印加する構成を例示的に示す図面である。
【図６Ｎ】本発明の一実施例によって反射型表示装置に多様なパターンの電場を印加する構成を例示的に示す図面である。
【図６Ｏ】本発明の一実施例によって反射型表示装置に多様なパターンの電場を印加する構成を例示的に示す図面である。
【図６Ｐ】本発明の一実施例によって反射型表示装置に多様なパターンの電場を印加する構成を例示的に示す図面である。
【図７】本発明の一実施例によって反射型表示装置の各カプセルに含まれる粒子を移動させるための電場強度のスレショルド値と電場の最小印加時間（すなわち、応答時間）を例示的に示す図面である。
【図８Ａ】本発明の一実施例によって反射型表示装置に多様なパターンの電場を印加する構成を例示的に示す図面である。
【図８Ｂ】本発明の一実施例によって反射型表示装置に多様なパターンの電場を印加する構成を例示的に示す図面である。
【図８Ｃ】本発明の一実施例によって反射型表示装置に多様なパターンの電場を印加する構成を例示的に示す図面である。
【図８Ｄ】本発明の一実施例によって反射型表示装置に多様なパターンの電場を印加する構成を例示的に示す図面である。
【図８Ｅ】本発明の一実施例によって反射型表示装置に多様なパターンの電場を印加する構成を例示的に示す図面である。
【図８Ｆ】本発明の一実施例によって反射型表示装置に多様なパターンの電場を印加する構成を例示的に示す図面である。
【図８Ｇ】本発明の一実施例によって反射型表示装置に多様なパターンの電場を印加する構成を例示的に示す図面である。
【図８Ｈ】本発明の一実施例によって反射型表示装置に多様なパターンの電場を印加する構成を例示的に示す図面である。
【図８Ｉ】本発明の一実施例によって反射型表示装置に多様なパターンの電場を印加する構成を例示的に示す図面である。
【図８Ｊ】本発明の一実施例によって反射型表示装置に多様なパターンの電場を印加する構成を例示的に示す図面である。
【図８Ｋ】本発明の一実施例によって反射型表示装置に多様なパターンの電場を印加する構成を例示的に示す図面である。
【図８Ｌ】本発明の一実施例によって反射型表示装置に多様なパターンの電場を印加する構成を例示的に示す図面である。
【図８Ｍ】本発明の一実施例によって反射型表示装置に多様なパターンの電場を印加する構成を例示的に示す図面である。
【図８Ｎ】本発明の一実施例によって反射型表示装置に多様なパターンの電場を印加する構成を例示的に示す図面である。
【図８Ｏ】本発明の一実施例によって反射型表示装置に多様なパターンの電場を印加する構成を例示的に示す図面である。
【図８Ｐ】本発明の一実施例によって反射型表示装置に多様なパターンの電場を印加する構成を例示的に示す図面である。
【図９Ａ】本発明の一実施例によって電場の印加パターンを調節して反射型表示装置の明暗度を調節する構成を例示的に示す図面である。
【図９Ｂ】本発明の一実施例によって電場の印加パターンを調節して反射型表示装置の明暗度を調節する構成を例示的に示す図面である。
【図９Ｃ】本発明の一実施例によって電場の印加パターンを調節して反射型表示装置の明暗度を調節する構成を例示的に示す図面である。
【図９Ｄ】本発明の一実施例によって電場の印加パターンを調節して反射型表示装置の明暗度を調節する構成を例示的に示す図面である。
【図９Ｅ】本発明の一実施例によって電場の印加パターンを調節して反射型表示装置の明暗度を調節する構成を例示的に示す図面である。
【図９Ｆ】本発明の一実施例によって電場の印加パターンを調節して反射型表示装置の明暗度を調節する構成を例示的に示す図面である。
【図１０Ａ】本発明の一実施例によって反射型表示装置のカプセルに適用可能なカラーの組合わせを例示的に示す図面である。
【図１０Ｂ】本発明の一実施例によって反射型表示装置のカプセルに適用可能なカラーの組合わせを例示的に示す図面である。
【図１０Ｃ】本発明の一実施例によって反射型表示装置のカプセルに適用可能なカラーの組合わせを例示的に示す図面である。
【図１１】本発明の一実施例によって反射型表示装置のカプセルの配列に関する構成を例示的に示す図面である。
【図１２】本発明の一実施例によって反射型表示装置のカプセル内の粒子及び流体に適用可能なカラーの組合わせを例示的に示す図面である。
【図１３】本発明の一実施例によって隔壁構造からなる反射型表示装置の構成を例示的に示す図面である。
【図１４Ａ】本発明の一実施例によって１つの単位セルに２種の粒子が含まれる反射型表示装置の構成を例示的に示す図面である。
【図１４Ｂ】本発明の一実施例によって１つの単位セルに２種の粒子が含まれる反射型表示装置の構成を例示的に示す図面である。
【図１５】本発明の一実施例によって回転自在な粒子が単位セルとして含まれる反射型表示装置の構成を例示的に示す図面である。
【図１６】本発明の一実施例によって隔壁構造からなる乾式方式の反射型表示装置の構成を例示的に示す図面である。
【図１７】本発明の一実施例によって電気湿潤式反射型表示装置の構成を例示的に示す図面である。
【図１８】本発明の他の実施例によって反射型表示装置の構成を例示的に示す図面である。
【図１９】本発明の他の実施例によって反射型表示装置の構成を例示的に示す図面である。
【図２０】本発明の他の実施例によって反射型表示装置の構成を例示的に示す図面である。
【図２１】本発明の他の実施例によって反射型表示装置の構成を例示的に示す図面である。
【図２２】本発明の他の実施例によって反射型表示装置の各単位セルに含まれる粒子を移動させるための電場強度のスレショルド値を例示的に示す図面である。
【図２３Ａ】本発明の他の実施例によって反射型表示装置に多様なパターンの電場を印加する構成を例示的に示す図面である。
【図２３Ｂ】本発明の他の実施例によって反射型表示装置に多様なパターンの電場を印加する構成を例示的に示す図面である。
【図２３Ｃ】本発明の他の実施例によって反射型表示装置に多様なパターンの電場を印加する構成を例示的に示す図面である。
【図２３Ｄ】本発明の他の実施例によって反射型表示装置に多様なパターンの電場を印加する構成を例示的に示す図面である。
【図２３Ｅ】本発明の他の実施例によって反射型表示装置に多様なパターンの電場を印加する構成を例示的に示す図面である。
【図２３Ｆ】本発明の他の実施例によって反射型表示装置に多様なパターンの電場を印加する構成を例示的に示す図面である。
【図２３Ｇ】本発明の他の実施例によって反射型表示装置に多様なパターンの電場を印加する構成を例示的に示す図面である。
【図２３Ｈ】本発明の他の実施例によって反射型表示装置に多様なパターンの電場を印加する構成を例示的に示す図面である。
【図２３Ｉ】本発明の他の実施例によって反射型表示装置に多様なパターンの電場を印加する構成を例示的に示す図面である。
【図２３Ｊ】本発明の他の実施例によって反射型表示装置に多様なパターンの電場を印加する構成を例示的に示す図面である。
【図２３Ｋ】本発明の他の実施例によって反射型表示装置に多様なパターンの電場を印加する構成を例示的に示す図面である。
【図２３Ｌ】本発明の他の実施例によって反射型表示装置に多様なパターンの電場を印加する構成を例示的に示す図面である。
【図２３Ｍ】本発明の他の実施例によって反射型表示装置に多様なパターンの電場を印加する構成を例示的に示す図面である。
【図２３Ｎ】本発明の他の実施例によって反射型表示装置に多様なパターンの電場を印加する構成を例示的に示す図面である。
【図２３Ｏ】本発明の他の実施例によって反射型表示装置に多様なパターンの電場を印加する構成を例示的に示す図面である。
【図２３Ｐ】本発明の他の実施例によって反射型表示装置に多様なパターンの電場を印加する構成を例示的に示す図面である。
【図２４】本発明の他の実施例によって反射型表示装置の各単位セルに含まれる粒子を移動させるための電場の最小印加時間（すなわち、応答時間）を例示的に示す図面である。
【図２５Ａ】本発明の他の実施例によって反射型表示装置に多様なパターンの電場を印加する構成を例示的に示す図面である。
【図２５Ｂ】本発明の他の実施例によって反射型表示装置に多様なパターンの電場を印加する構成を例示的に示す図面である。
【図２５Ｃ】本発明の他の実施例によって反射型表示装置に多様なパターンの電場を印加する構成を例示的に示す図面である。
【図２５Ｄ】本発明の他の実施例によって反射型表示装置に多様なパターンの電場を印加する構成を例示的に示す図面である。
【図２５Ｅ】本発明の他の実施例によって反射型表示装置に多様なパターンの電場を印加する構成を例示的に示す図面である。
【図２５Ｆ】本発明の他の実施例によって反射型表示装置に多様なパターンの電場を印加する構成を例示的に示す図面である。
【図２５Ｇ】本発明の他の実施例によって反射型表示装置に多様なパターンの電場を印加する構成を例示的に示す図面である。
【図２５Ｈ】本発明の他の実施例によって反射型表示装置に多様なパターンの電場を印加する構成を例示的に示す図面である。
【図２５Ｉ】本発明の他の実施例によって反射型表示装置に多様なパターンの電場を印加する構成を例示的に示す図面である。
【図２５Ｊ】本発明の他の実施例によって反射型表示装置に多様なパターンの電場を印加する構成を例示的に示す図面である。
【図２５Ｋ】本発明の他の実施例によって反射型表示装置に多様なパターンの電場を印加する構成を例示的に示す図面である。
【図２５Ｌ】本発明の他の実施例によって反射型表示装置に多様なパターンの電場を印加する構成を例示的に示す図面である。
【図２５Ｍ】本発明の他の実施例によって反射型表示装置に多様なパターンの電場を印加する構成を例示的に示す図面である。
【図２５Ｎ】本発明の他の実施例によって反射型表示装置に多様なパターンの電場を印加する構成を例示的に示す図面である。
【図２５Ｏ】本発明の他の実施例によって反射型表示装置に多様なパターンの電場を印加する構成を例示的に示す図面である。
【図２５Ｐ】本発明の他の実施例によって反射型表示装置に多様なパターンの電場を印加する構成を例示的に示す図面である。
【図２６】本発明の他の実施例によって反射型表示装置の各単位セルに含まれる粒子を移動させるための電場強度のスレショルド値と最小印加時間（すなわち、応答時間）を例示的に示す図面である。
【図２７Ａ】本発明の他の実施例によって反射型表示装置に多様なパターンの電場を印加する構成を例示的に示す図面である。
【図２７Ｂ】本発明の他の実施例によって反射型表示装置に多様なパターンの電場を印加する構成を例示的に示す図面である。
【図２７Ｃ】本発明の他の実施例によって反射型表示装置に多様なパターンの電場を印加する構成を例示的に示す図面である。
【図２７Ｄ】本発明の他の実施例によって反射型表示装置に多様なパターンの電場を印加する構成を例示的に示す図面である。
【図２７Ｅ】本発明の他の実施例によって反射型表示装置に多様なパターンの電場を印加する構成を例示的に示す図面である。
【図２７Ｆ】本発明の他の実施例によって反射型表示装置に多様なパターンの電場を印加する構成を例示的に示す図面である。
【図２７Ｇ】本発明の他の実施例によって反射型表示装置に多様なパターンの電場を印加する構成を例示的に示す図面である。
【図２７Ｈ】本発明の他の実施例によって反射型表示装置に多様なパターンの電場を印加する構成を例示的に示す図面である。
【図２７Ｉ】本発明の他の実施例によって反射型表示装置に多様なパターンの電場を印加する構成を例示的に示す図面である。
【図２７Ｊ】本発明の他の実施例によって反射型表示装置に多様なパターンの電場を印加する構成を例示的に示す図面である。
【図２７Ｋ】本発明の他の実施例によって反射型表示装置に多様なパターンの電場を印加する構成を例示的に示す図面である。
【図２７Ｌ】本発明の他の実施例によって反射型表示装置に多様なパターンの電場を印加する構成を例示的に示す図面である。
【図２７Ｍ】本発明の他の実施例によって反射型表示装置に多様なパターンの電場を印加する構成を例示的に示す図面である。
【図２７Ｎ】本発明の他の実施例によって反射型表示装置に多様なパターンの電場を印加する構成を例示的に示す図面である。
【図２７Ｏ】本発明の他の実施例によって反射型表示装置に多様なパターンの電場を印加する構成を例示的に示す図面である。
【図２７Ｐ】本発明の他の実施例によって反射型表示装置に多様なパターンの電場を印加する構成を例示的に示す図面である。
【図２８】本発明の他の実施例によって反射型表示装置の隔壁の構成を例示的に示す図面である。
【図２９】本発明の一実施例によって、それぞれ赤色（Ｒ）及び青色（Ｂ）を有し、互いに異なる応答時間を有する２種の粒子が混合された状態で電場の印加時間を調節して多様なカラーを表示させた実験例を示す図面である。
【図３０】本発明の一実施例によって、それぞれ赤色（Ｒ）及び青色（Ｂ）を有し、互いに異なる応答時間を有する２種の粒子が混合された状態で電場の印加時間を調節して多様なカラーを表示させた実験例を示す図面である。
【図３１】本発明の一実施例によって、それぞれ赤色（Ｒ）及び青色（Ｂ）を有し、互いに異なる応答時間を有する２種の粒子が混合された状態で電場の印加時間を調節して多様なカラーを表示させた実験例を示す図面である。
【図３２】本発明の一実施例によって、それぞれ赤色（Ｒ）及び青色（Ｂ）を有し、互いに異なる応答時間を有する２種の粒子が混合された状態で電場の印加時間を調節して多様なカラーを表示させた実験例を示す図面である。
【図３３】本発明の一実施例によって互いに異なるカラーを有し、互いに異なる応答時間を有する２種の粒子が混合された状態で電場の印加時間を調節して多様なカラーを表示した例を示す図面である。
【図３４】本発明の一実施例によって互いに異なるカラーを有し、互いに異なる応答時間を有する２種の粒子が混合された状態で電場の印加時間を調節して多様なカラーを表示した例を示す図面である。
【図３５】本発明の一実施例によって、それぞれ赤色（Ｒ）、黄色（Ｙ）及び青色（Ｂ）を有し、互いに異なる応答時間を有する３種の粒子が混合された状態で電場の印加時間を調節して多様なカラーを表示させた実験例を示す図面である。
【図３６】本発明の一実施例によって、それぞれ赤色（Ｒ）、黄色（Ｙ）及び青色（Ｂ）を有し、互いに異なる応答時間を有する３種の粒子が混合された状態で電場の印加時間を調節して多様なカラーを表示させた実験例を示す図面である。
【図３７】本発明の一実施例によって、それぞれ赤色（Ｒ）、黄色（Ｙ）及び青色（Ｂ）を有し、互いに異なる応答時間を有する３種の粒子が混合された状態で電場の印加時間を調節して多様なカラーを表示させた実験例を示す図面である。
【図３８】本発明の一実施例によって、それぞれ赤色（Ｒ）、黄色（Ｙ）及び青色（Ｂ）を有し、互いに異なる応答時間を有する３種の粒子が混合された状態で電場の印加時間を調節して多様なカラーを表示させた実験例を示す図面である。
【図３９】本発明の一実施例によって更新電場を印加する構成を例示的に示す図面である。
【図４０】本発明の一実施例によって更新電場を印加した実験結果を例示的に示す図面である。
【図４１】本発明の一実施例によって反射型表示装置の構成を例示的に示す図面である。
【図４２】本発明の一実施例によって反射型表示装置に含まれたベース粒子とカラー粒子とを移動させるための電場強度のスレショルド値と印加時間（すなわち、応答時間）を例示的に示す図面である。
【図４３】本発明の一実施例によって電場強度を調節してベース粒子を制御する構成を例示的に示す図面である。
【図４４】本発明の一実施例によって電場強度を調節してカラー粒子を制御する構成を例示的に示す図面である。
【図４５】本発明の一実施例によって反射型表示装置に多様なパターンの電場を印加する構成を例示的に示す図面である。
【図４６】本発明の一実施例によって反射型表示装置に多様なパターンの電場を印加する構成を例示的に示す図面である。
【図４７】本発明の一実施例によって電場の印加時間を調節してベース粒子を制御する構成を例示的に示す図面である。
【図４８】本発明の一実施例によって電場の印加時間を調節してカラー粒子を制御する構成を例示的に示す図面である。
【図４９】本発明の一実施例によって反射型表示装置に多様なパターンの電場を印加する構成を例示的に示す図面である。
【図５０】本発明の一実施例によって反射型表示装置に多様なパターンの電場を印加する構成を例示的に示す図面である。
【図５１】本発明の一実施例によって反射型表示装置の透光度を調節する実験を行った結果を例示的に示す図面である。
【図５２】本発明のさらに他の実施例によって反射型表示装置の構成を例示的に示す図面である。
【図５３】本発明のさらに他の実施例によって反射型表示装置の構成を例示的に示す図面である。
【図５４】本発明のさらに他の実施例によって反射型表示装置の構成を例示的に示す図面である。
【図５５】本発明のさらに他の実施例によって反射型表示装置の構成を例示的に示す図面である。
【図５６】本発明のさらに他の実施例によって反射型表示装置の構成を例示的に示す図面である。
【図５７】本発明のさらに他の実施例によって反射型表示装置に含まれた第１粒子と第２粒子とを移動させるための電場強度のスレショルド値と印加時間（すなわち、応答時間）を例示的に示す図面である。
【図５８】本発明のさらに他の実施例によって電場強度または印加時間を調節して反射型表示装置の表示状態を制御する構成を例示的に示す図面である。
【図５９】本発明のさらに他の実施例によって、上部電極と、第１部分電極及び第２部分電極からなる下部電極との間に印加される電場強度を調節して、反射型表示装置の表示状態を制御する構成を例示的に示す図面である。
【図６０】本発明のさらに他の実施例によって、上部電極なしに、下部電極を構成する第１部分電極と第２部分との間に印加される電場強度を調節して、反射型表示装置の表示状態を制御する構成を例示的に示す図面である。
【図６１】本発明の一実施例によって電場を印加する構成を例示的に示す図面である。
【図６２】本発明の一実施例によって電場を印加する構成を例示的に示す図面である。
【発明を実施するための形態】
【００３９】
後述する本発明についての詳細な説明は、本発明が実施される特定の実施例を例示として図示する添付図面を参照する。これら実施例は、当業者が本発明を十分に実施可能なように詳しく説明される。本発明の多様な実施例は、互いに異なるが、相互排他的である必要はないということを理解しなければならない。例えば、これに記載されている特定の形状、構造、及び特性は、一実施例に関連して、本発明の精神及び範囲を外れず、他の実施例として具現可能である。また、それぞれの開示された実施例内の個別構成要素の位置または配置は、本発明の精神及び範囲を外れず、変更されうるということを理解しなければならない。したがって、後述する詳細な説明は、限定的な意味として取ろうとするものではなく、本発明の範囲は、適切に説明されるならば、その請求項が主張するものと均等なあらゆる範囲と共に添付の請求項によってのみ限定される。図面で類似した参照符号は、多様な側面にわたって同一であるか、類似した機能を称する。
【００４０】
以下、当業者が本発明を容易に実施させるために、添付図面を参照して、本発明の構成を詳細に説明する。
【００４１】
１．本発明の一実施例による反射型表示装置
［反射型表示装置の構成］
図２は、本発明の一実施例によって反射型表示装置の構成を例示的に示す図面である。
【００４２】
図２を参照すれば、本発明の一実施例による反射型表示装置２００は、上部基板２１０、下部基板２２０、上部電極２３０及び下部電極２４０を含みうる。また、本発明の一実施例による反射型表示装置２００は、上部電極２３０と下部電極２４０との間に互いに異なる種類の粒子２６１〜２６４と流体２７１〜２７４とを含む少なくとも１つのカプセル（すなわち、単位セル）２５１〜２５４を含みうる。
【００４３】
一方、本明細書で言及される単位セルは、通常の表示装置で言う単位ピクセルを意味するものではないということを明らかにする。すなわち、単位ピクセルごとに独立して駆動される上部電極または下部電極が備えられ、このような単位ピクセルは、互いに異なるカラーを示す複数の単位セルで構成することができる。
【００４４】
本発明の一実施例によれば、少なくとも１つのカプセル２５１〜２５４に含まれる粒子２６１〜２６４と流体２７１〜２７４は、これらを駆動する（すなわち、移動させる、または電気泳動させる）のに必要な電場の最小強度（すなわち、スレショルド値）または最小印加時間（すなわち、応答時間）を互いに異ならせて構成することができる。
【００４５】
具体的に、本発明の一実施例によれば、第１粒子２６１、第２粒子２６２、第３粒子２６３及び第４粒子２６４は、印加される電場強度がそれぞれのスレショルド値未満である場合には動かず、印加される電場強度がそれぞれのスレショルド値以上である場合にのみ動くが、この際、第１粒子２６１、第２粒子２６２、第３粒子２６３及び第４粒子２６４のスレショルド値は、互いに異なって具現されうる。
【００４６】
また、本発明の一実施例によれば、第１粒子２６１、第２粒子２６２、第３粒子２６３及び第４粒子２６４は、電場がそれぞれの応答時間未満の間に印加される場合には動かず、電場がそれぞれの応答時間以上印加される場合にのみ動くが、この際、第１粒子２６１、第２粒子２６２、第３粒子２６３及び第４粒子２６４の応答時間は、互いに異なって具現されうる。
【００４７】
本発明の一実施例によれば、カプセルに含まれる粒子のスレショルド値または応答時間を調節するための方法として、粒子の表面電荷、ゼータ電位、誘電定数、比重、密度、サイズ、形状及び構造、粒子が分散された流体の誘電定数、粘度及び比重、粒子が分散された流体内に添加される添加剤、粒子及び流体に電場を印加する電極の電極パターン、電極間隔、電極サイズ及び電極材料、電極によって粒子に実質的に加えられる電場などを調節することができる。
【００４８】
他の例を挙げれば、粒子または粒子が分散される流体が、電場によって誘電率が急激に増加または減少する強誘電体（ｆｅｒｒｏｅｌｅｃｔｒｉｃ）または反強誘電体（ａｎｔｉｆｅｒｒｏｅｌｅｃｔｒｉｃ）物質を含ませうる。このような場合、粒子または流体の誘電率が急変する電場強度のスレショルド値が存在するので、これにより、粒子の移動や動きに決定的な影響を及ぼす電場強度のスレショルド値が存在し、結果的に、特定のスレショルド値で粒子を急激に動かせうる。
【００４９】
［反射型表示装置の動作：スレショルド値の調節］
図３は、本発明の一実施例によって反射型表示装置の各カプセルに含まれる粒子を移動させるための電場強度のスレショルド値を例示的に示す図面である。
【００５０】
図３を参照すれば、反射型表示装置２００の第１粒子２６１、第２粒子２６２、第３粒子２６３及び第４粒子２６４の移動に必要な電場強度のスレショルド値は、それぞれＶＴ１、ＶＴ２、ＶＴ３及びＶＴ４であり得る（ＶＴ１＜ＶＴ２＜ＶＴ３＜ＶＴ４）。また、第１粒子２６１、第２粒子２６２、第３粒子２６３及び第４粒子２６４は、白色を示し、第１粒子２６１、第２粒子２６２、第３粒子２６３及び第４粒子２６４がそれぞれ分散されている第１流体２７１、第２流体２７２、第３流体２７３及び第４流体２７４は、それぞれ赤色、緑色、青色及び黒色を示す。本発明の一実施例によれば、反射型表示装置２００の第１カプセルないし第４カプセル２５１〜２５４に印加される電場のパターン（すなわち、方向及び強度）を多様に調節することによって、白色、赤色、緑色、青色及び黒色のうち少なくとも１つのカラーを多様に表示させうる。
【００５１】
図４Ａないし図４Ｐは、本発明の一実施例によって反射型表示装置に多様なパターンの電場を印加する構成を例示的に示す図面である。
【００５２】
まず、図４Ａを参照すれば、第１カプセルないし第４カプセル２５１〜２５４に対してＶＴ４以上の強度の電場を印加することによって、第１粒子２６１ないし第４粒子２６４がいずれも電気泳動によって移動して、上部電極２３０部分に集中して位置させうる。これにより、本発明の一実施例による反射型表示装置２００では、第１粒子２６１ないし第４粒子２６４のカラーである白色が表示される。
【００５３】
白色を除いた残りの４種のカラーのうち、１種のカラーを表示する方法は、次の通りである。
【００５４】
次いで、図４Ｂを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ１強度（すなわち、第１粒子２６１のスレショルド値）で印加することによって、第１粒子２６１のみ電気泳動によって移動して、下部電極２４０部分に集中して位置させうる。これにより、本発明の一実施例による反射型表示装置２００では、第２粒子ないし第４粒子２６２〜２６４のカラーである白色と第１流体２７１のカラーである赤色とが混合されて表示される。
【００５５】
次いで、図４Ｃを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ２強度（すなわち、第２粒子２６２のスレショルド値）で印加した後で、図４Ａで印加された電場と同じ方向の電場をＶＴ１強度（すなわち、第１粒子２６１のスレショルド値）で印加することによって、第２粒子２６２のみ電気泳動によって移動して、下部電極２４０部分に集中して位置させうる。これにより、本発明の一実施例による反射型表示装置２００では、第１粒子２６１、第３粒子２６３及び第４粒子２６４のカラーである白色と第２流体２７２のカラーである緑色とが混合されて表示される。
【００５６】
次いで、図４Ｄを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ３強度（すなわち、第３粒子２６３のスレショルド値）で印加した後で、図４Ａで印加された電場と同じ方向の電場をＶＴ２強度（すなわち、第２粒子２６２のスレショルド値）で印加することによって、第３粒子２６３のみ電気泳動によって移動して、下部電極２４０部分に集中して位置させうる。これにより、本発明の一実施例による反射型表示装置２００では、第１粒子２６１、第２粒子２６２及び第４粒子２６４のカラーである白色と第３流体２７３のカラーである青色とが混合されて表示される。
【００５７】
次いで、図４Ｅを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ３強度（すなわち、第３粒子２６３のスレショルド値）で印加することによって、第４粒子２６４のみ電気泳動によって移動して、下部電極２４０部分に集中して位置させうる。これにより、本発明の一実施例による反射型表示装置２００では、第１粒子２６１、第２粒子２６２及び第３粒子２６３のカラーである白色と第４流体２７４のカラーである黒色とが混合されて表示される。
【００５８】
白色を除いた残りの４種のカラーのうち、２種のカラーを混合して表示する方法は、次の通りである。
【００５９】
次いで、図４Ｆを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ２強度（すなわち、第２粒子２６２のスレショルド値）で印加することによって、第１粒子２６１及び第２粒子２６２が電気泳動によって移動して、下部電極２４０部分に集中して位置させうる。これにより、本発明の一実施例による反射型表示装置２００では、第３粒子２６３及び第４粒子２６４のカラーである白色と第１流体２７１のカラーである赤色と第２流体２７２のカラーである緑色とが混合されて表示される。
【００６０】
次いで、図４Ｇを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ３強度（すなわち、第３粒子２６３のスレショルド値）で印加した後で、図４Ａで印加された電場と同じ方向の電場をＶＴ１強度（すなわち、第１粒子２６１のスレショルド値）で印加することによって、第２粒子２６２及び第３粒子２６３が電気泳動によって移動して、下部電極２４０部分に集中して位置させうる。これにより、本発明の一実施例による反射型表示装置２００では、第１粒子２６１及び第４粒子２６４のカラーである白色と第２流体２７２のカラーである緑色と第３流体２７３のカラーである青色とが混合されて表示される。
【００６１】
次いで、図４Ｈを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ３強度（すなわち、第３粒子２６３のスレショルド値）で印加した後で、図４Ａで印加された電場と同じ方向の電場をＶＴ２強度（すなわち、第２粒子２６２のスレショルド値）で印加した後で、再び図４Ａで印加された電場と逆方向の電場をＶＴ１強度（すなわち、第１粒子２６１のスレショルド値）で印加することによって、第１粒子２６１及び第３粒子２６３が電気泳動によって移動して、下部電極２４０部分に集中して位置させうる。これにより、本発明の一実施例による反射型表示装置２００では、第１粒子２６１及び第３粒子２６３のカラーである白色と第２流体２７２のカラーである緑色と第４流体２７４のカラーである黒色とが混合されて表示される。
【００６２】
次いで、図４Ｉを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ２強度（すなわち、第２粒子２６２のスレショルド値）で印加することによって、第３粒子２６３及び第４粒子２６４が電気泳動によって移動して、下部電極２４０部分に集中して位置させうる。これにより、本発明の一実施例による反射型表示装置２００では、第１粒子２６１及び第２粒子２６２のカラーである白色と第３流体２７３のカラーである青色と第４流体２７４のカラーである黒色とが混合されて表示される。
【００６３】
次いで、図４Ｊを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ３強度（すなわち、第３粒子２６３のスレショルド値）で印加した後で、再び図４Ａで印加された電場と逆方向の電場をＶＴ１強度（すなわち、第１粒子２６１のスレショルド値）で印加することによって、第１粒子２６１及び第４粒子２６４が電気泳動によって移動して、下部電極２４０部分に集中して位置させうる。これにより、本発明の一実施例による反射型表示装置２００では、第２粒子２６２及び第３粒子２６３のカラーである白色と第１流体２７１のカラーである赤色と第４流体２７４のカラーである黒色とが混合されて表示される。
【００６４】
次いで、図４Ｋを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ３強度（すなわち、第３粒子２６３のスレショルド値）で印加した後で、再び図４Ａで印加された電場と逆方向の電場をＶＴ２強度（すなわち、第２粒子２６２のスレショルド値）で印加した後で、再び図４Ａで印加された電場と同じ方向の電場をＶＴ１強度（すなわち、第１粒子２６１のスレショルド値）で印加することによって、第２粒子２６２及び第４粒子２６４が電気泳動によって移動して、下部電極２４０部分に集中して位置させうる。これにより、本発明の一実施例による反射型表示装置２００では、第１粒子２６１及び第３粒子２６３のカラーである白色と第２流体２７２のカラーである緑色と第４流体２７４のカラーである黒色とが混合されて表示される。
【００６５】
白色を除いた残りの４種のカラーのうち、３種のカラーを混合して表示する方法は、次の通りである。
【００６６】
次いで、図４Ｌを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ３強度（すなわち、第３粒子２６３のスレショルド値）で印加することによって、第１粒子２６１、第２粒子２６２及び第３粒子２６３が電気泳動によって移動して、下部電極２４０部分に集中して位置させうる。これにより、本発明の一実施例による反射型表示装置２００では、第４粒子２６４のカラーである白色と第１流体２７１のカラーである赤色と第２流体２７２のカラーである緑色と第３流体２７３のカラーである青色とが混合されて表示される。
【００６７】
次いで、図４Ｍを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ１強度（すなわち、第１粒子２６１のスレショルド値）で印加することによって、第２粒子２６２、第３粒子２６３及び第４粒子２６４が電気泳動によって移動して、下部電極２４０部分に集中して位置させうる。これにより、本発明の一実施例による反射型表示装置２００では、第１粒子２６１のカラーである白色と第２流体２７２のカラーである緑色と第３流体２７３のカラーである青色と第４流体２７４のカラーである黒色とが混合されて表示される。
【００６８】
次いで、図４Ｎを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ２強度（すなわち、第２粒子２６２のスレショルド値）で印加した後で、再び図４Ａで印加された電場と逆方向の電場をＶＴ１強度（すなわち、第１粒子２６１のスレショルド値）で印加することによって、第１粒子２６１、第３粒子２６３及び第４粒子２６４が電気泳動によって移動して、下部電極２４０部分に集中して位置させうる。これにより、本発明の一実施例による反射型表示装置２００では、第２粒子２６２のカラーである白色と第１流体２７１のカラーである赤色と第３流体２７３のカラーである青色と第４流体２７４のカラーである黒色とが混合されて表示される。
【００６９】
次いで、図４Ｏを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加した後で、図４Ａで印加された電場と同じ方向の電場をＶＴ３強度（すなわち、第３粒子２６３のスレショルド値）で印加した後で、再び図４Ａで印加された電場と逆方向の電場をＶＴ２強度（すなわち、第２粒子２６２のスレショルド値）で印加することによって、第１粒子２６１、第２粒子２６２及び第４粒子２６４が電気泳動によって移動して、下部電極２４０部分に集中して位置させうる。これにより、本発明の一実施例による反射型表示装置２００では、第３粒子２６３のカラーである白色と第１流体２７１のカラーである赤色と第２流体２７２のカラーである緑色と第４流体２７４のカラーである黒色とが混合されて表示される。
【００７０】
白色を除いた残りの４種のカラーをいずれも混合して表示する方法は、次の通りである。
【００７１】
次いで、図４Ｐを参照すれば、第１粒子２６１ないし第４粒子２６４がいずれも上部電極２３０部分に集中して位置している状態で、第１カプセルないし第４カプセル２５１〜２５４に対して、図４Ａで印加された電場と逆方向の電場をＶＴ４強度（すなわち、第４粒子２６４のスレショルド値）で印加することによって、第１粒子ないし第４粒子２６１〜２６４がいずれも電気泳動によって移動して、下部電極２４０部分に集中して位置させうる。これにより、本発明の一実施例による反射型表示装置２００では、第１流体２７１のカラーである赤色と第２流体２７２のカラーである緑色と第３流体２７３のカラーである青色と第４流体２７４のカラーである黒色とがいずれも混合されて表示される。
【００７２】
［反射型表示装置の動作：応答時間の調節］
図５は、本発明の一実施例によって反射型表示装置の各カプセルに含まれる粒子を移動させるための電場の最小印加時間（すなわち、粒子の応答時間）を例示的に示す図面である。
【００７３】
図５を参照すれば、反射型表示装置２００の第１粒子２６１、第２粒子２６２、第３粒子２６３及び第４粒子２６４の移動に必要な電場の最小印加時間（すなわち、応答時間）は、それぞれｔ１、ｔ２、ｔ３及びｔ４であり得る（ｔ１＜ｔ２＜ｔ３＜ｔ４）。また、第１粒子２６１、第２粒子２６２、第３粒子２６３及び第４粒子２６４は、白色を示し、第１粒子２６１、第２粒子２６２、第３粒子２６３及び第４粒子２６４がそれぞれ分散されている第１流体２７１、第２流体２７２、第３流体２７３及び第４流体２７４は、それぞれ赤色、緑色、青色及び黒色を示す。本発明の一実施例によれば、反射型表示装置２００の第１カプセルないし第４カプセル２５１〜２５４に印加される電場のパターン（すなわち、方向及び印加時間）を多様に調節することによって、白色、赤色、緑色、青色及び黒色のうち少なくとも１つのカラーを多様に表示させうる。
【００７４】
図６Ａないし図６Ｐは、本発明の一実施例によって反射型表示装置に多様なパターンの電場を印加する構成を例示的に示す図面である。
【００７５】
まず、図６Ａを参照すれば、第１カプセルないし第４カプセル２５１〜２５４に対してｔ４以上の時間の間に電場を印加することによって、第１粒子２６１ないし第４粒子２６４がいずれも電気泳動によって移動して、上部電極２３０部分に集中して位置させうる。これにより、本発明の一実施例による反射型表示装置２００では、第１粒子２６１ないし第４粒子２６４のカラーである白色が表示される。
【００７６】
白色を除いた残りの４種のカラーのうち、１種のカラーを表示する方法は、次の通りである。
【００７７】
次いで、図６Ｂを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ１の時間（すなわち、第１粒子２６１の応答時間）の間に印加することによって、第１粒子２６１のみ電気泳動によって移動して、下部電極２４０部分に集中して位置させうる。これにより、本発明の一実施例による反射型表示装置２００では、第２粒子ないし第４粒子２６２〜２６４のカラーである白色と第１流体２７１のカラーである赤色とが混合されて表示される。
【００７８】
次いで、図６Ｃを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ２の時間（すなわち、第２粒子２６２の応答時間）の間に印加した後で、図６Ａで印加された電場と同じ方向の電場をｔ１の時間（すなわち、第１粒子２６１の応答時間）の間に印加することによって、第２粒子２６２のみ電気泳動によって移動して、下部電極２４０部分に集中して位置させうる。これにより、本発明の一実施例による反射型表示装置２００では、第１粒子２６１、第３粒子２６３及び第４粒子２６４のカラーである白色と第２流体２７２のカラーである緑色とが混合されて表示される。
【００７９】
次いで、図６Ｄを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ３の時間（すなわち、第３粒子２６３の応答時間）の間に印加した後で、図６Ａで印加された電場と同じ方向の電場をｔ２の時間（すなわち、第２粒子２６２の応答時間）の間に印加することによって、第３粒子２６３のみ電気泳動によって移動して、下部電極２４０部分に集中して位置させうる。これにより、本発明の一実施例による反射型表示装置２００では、第１粒子２６１、第２粒子２６２及び第４粒子２６４のカラーである白色と第３流体２７３のカラーである青色とが混合されて表示される。
【００８０】
次いで、図６Ｅを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加した後で、図６Ａで印加された電場と同じ方向の電場をｔ３の時間（すなわち、第３粒子２６３の応答時間）の間に印加することによって、第４粒子２６４のみ電気泳動によって移動して、下部電極２４０部分に集中して位置させうる。これにより、本発明の一実施例による反射型表示装置２００では、第１粒子２６１、第２粒子２６２及び第３粒子２６３のカラーである白色と第４流体２７４のカラーである黒色とが混合されて表示される。
【００８１】
白色を除いた残りの４種のカラーのうち、２種のカラーを混合して表示する方法は、次の通りである。
【００８２】
次いで、図６Ｆを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ２の時間（すなわち、第２粒子２６２の応答時間）の間に印加することによって、第１粒子２６１及び第２粒子２６２が電気泳動によって移動して、下部電極２４０部分に集中して位置させうる。これにより、本発明の一実施例による反射型表示装置２００では、第３粒子２６３及び第４粒子２６４のカラーである白色と第１流体２７１のカラーである赤色と第２流体２７２のカラーである緑色とが混合されて表示される。
【００８３】
次いで、図６Ｇを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ３の時間（すなわち、第３粒子２６３の応答時間）の間に印加した後で、図６Ａで印加された電場と同じ方向の電場をｔ１の時間（すなわち、第１粒子２６１の応答時間）の間に印加することによって、第２粒子２６２及び第３粒子２６３が電気泳動によって移動して、下部電極２４０部分に集中して位置させうる。これにより、本発明の一実施例による反射型表示装置２００では、第１粒子２６１及び第４粒子２６４のカラーである白色と第２流体２７２のカラーである緑色と第３流体２７３のカラーである青色とが混合されて表示される。
【００８４】
次いで、図６Ｈを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ３の時間（すなわち、第３粒子２６３の応答時間）の間に印加した後で、図６Ａで印加された電場と同じ方向の電場をｔ２の時間（すなわち、第２粒子２６２の応答時間）の間に印加した後で、再び図６Ａで印加された電場と逆方向の電場をｔ１の時間（すなわち、第１粒子２６１の応答時間）の間に印加することによって、第１粒子２６１及び第３粒子２６３が電気泳動によって移動して、下部電極２４０部分に集中して位置させうる。これにより、本発明の一実施例による反射型表示装置２００では、第１粒子２６１及び第３粒子２６３のカラーである白色と第２流体２７２のカラーである緑色と第４流体２７４のカラーである黒色とが混合されて表示される。
【００８５】
次いで、図６Ｉを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をＶＴ４強度（すなわち、第４粒子２６４のスレショルド値）で印加した後で、図６Ａで印加された電場と同じ方向の電場をＶＴ２強度（すなわち、第２粒子２６２のスレショルド値）で印加することによって、第３粒子２６３及び第４粒子２６４が電気泳動によって移動して、下部電極２４０部分に集中して位置させうる。これにより、本発明の一実施例による反射型表示装置２００では、第１粒子２６１及び第２粒子２６２のカラーである白色と第３流体２７３のカラーである青色と第４流体２７４のカラーである黒色とが混合されて表示される。
【００８６】
次いで、図６Ｊを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加した後で、図６Ａで印加された電場と同じ方向の電場をｔ３の時間（すなわち、第３粒子２６３の応答時間）の間に印加した後で、再び図６Ａで印加された電場と逆方向の電場をｔ１の時間（すなわち、第１粒子２６１の応答時間）の間に印加することによって、第１粒子２６１及び第４粒子２６４が電気泳動によって移動して、下部電極２４０部分に集中して位置させうる。これにより、本発明の一実施例による反射型表示装置２００では、第２粒子２６２及び第３粒子２６３のカラーである白色と第１流体２７１のカラーである赤色と第４流体２７４のカラーである黒色とが混合されて表示される。
【００８７】
次いで、図６Ｋを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加した後で、図６Ａで印加された電場と同じ方向の電場をｔ３の時間（すなわち、第３粒子２６３の応答時間）の間に印加した後で、再び図６Ａで印加された電場と逆方向の電場をｔ２の時間（すなわち、第２粒子２６２の応答時間）の間に印加した後で、再び図６Ａで印加された電場と同じ方向の電場をｔ１の時間（すなわち、第１粒子２６１の応答時間）の間に印加することによって、第２粒子２６２及び第４粒子２６４が電気泳動によって移動して、下部電極２４０部分に集中して位置させうる。これにより、本発明の一実施例による反射型表示装置２００では、第１粒子２６１及び第３粒子２６３のカラーである白色と第２流体２７２のカラーである緑色と第４流体２７４のカラーである黒色とが混合されて表示される。
【００８８】
白色を除いた残りの４種のカラーのうち、３種のカラーを混合して表示する方法は、次の通りである。
【００８９】
次いで、図６Ｌを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ３の時間（すなわち、第３粒子２６３の応答時間）の間に印加することによって、第１粒子２６１、第２粒子２６２及び第３粒子２６３が電気泳動によって移動して、下部電極２４０部分に集中して位置させうる。これにより、本発明の一実施例による反射型表示装置２００では、第４粒子２６４のカラーである白色と第１流体２７１のカラーである赤色と第２流体２７２のカラーである緑色と第３流体２７３のカラーである青色とが混合されて表示される。
【００９０】
次いで、図６Ｍを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加した後で、図６Ａで印加された電場と同じ方向の電場をｔ１の時間（すなわち、第１粒子２６１の応答時間）の間に印加することによって、第２粒子２６２、第３粒子２６３及び第４粒子２６４が電気泳動によって移動して、下部電極２４０部分に集中して位置させうる。これにより、本発明の一実施例による反射型表示装置２００では、第１粒子２６１のカラーである白色と第２流体２７２のカラーである緑色と第３流体２７３のカラーである青色と第４流体２７４のカラーである黒色とが混合されて表示される。
【００９１】
次いで、図６Ｎを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加した後で、図６Ａで印加された電場と同じ方向の電場をｔ２の時間（すなわち、第２粒子２６２の応答時間）の間に印加した後で、再び図６Ａで印加された電場と逆方向の電場をｔ１の時間（すなわち、第１粒子２６１の応答時間）の間に印加することによって、第１粒子２６１、第３粒子２６３及び第４粒子２６４が電気泳動によって移動して、下部電極２４０部分に集中して位置させうる。これにより、本発明の一実施例による反射型表示装置２００では、第２粒子２６２のカラーである白色と第１流体２７１のカラーである赤色と第３流体２７３のカラーである青色と第４流体２７４のカラーである黒色とが混合されて表示される。
【００９２】
次いで、図６Ｏを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加した後で、図６Ａで印加された電場と同じ方向の電場をｔ３の時間（すなわち、第３粒子２６３の応答時間）の間に印加した後で、再び図６Ａで印加された電場と逆方向の電場をｔ２の時間（すなわち、第２粒子２６２の応答時間）の間に印加することによって、第１粒子２６１、第２粒子２６２及び第４粒子２６４が電気泳動によって移動して、下部電極２４０部分に集中して位置させうる。これにより、本発明の一実施例による反射型表示装置２００では、第３粒子２６３のカラーである白色と第１流体２７１のカラーである赤色と第２流体２７２のカラーである緑色と第４流体２７４のカラーである黒色とが混合されて表示される。
【００９３】
白色を除いた残りの４種のカラーをいずれも混合して表示する方法は、次の通りである。
【００９４】
次いで、図６Ｐを参照すれば、第１粒子２６１ないし第４粒子２６４がいずれも上部電極２３０部分に集中して位置している状態で、第１カプセルないし第４カプセル２５１〜２５４に対して、図６Ａで印加された電場と逆方向の電場をｔ４の時間（すなわち、第４粒子２６４の応答時間）の間に印加することによって、第１粒子ないし第４粒子２６１〜２６４がいずれも電気泳動によって移動して、下部電極２４０部分に集中して位置させうる。これにより、本発明の一実施例による反射型表示装置２００では、第１流体２７１のカラーである赤色と第２流体２７２のカラーである緑色と第３流体２７３のカラーである青色と第４流体２７４のカラーである黒色とがいずれも混合されて表示される。
【００９５】
［反射型表示装置の動作：スレショルド値及び応答時間］
図７は、本発明の一実施例によって反射型表示装置の各カプセルに含まれる粒子を移動させるための電場強度のスレショルド値と電場の最小印加時間（すなわち、応答時間）を例示的に示す図面である。
【００９６】
図７を参照すれば、反射型表示装置２００の第１粒子２６１、第２粒子２６２、第３粒子２６３及び第４粒子２６４の移動に必要な電場強度のスレショルド値は、それぞれＶＴ１、ＶＴ１、ＶＴ２及びＶＴ２であり得る（ＶＴ１＜ＶＴ２）。また、反射型表示装置２００の第１粒子２６１、第２粒子２６２、第３粒子２６３及び第４粒子２６４の移動に必要な電場の最小印加時間（すなわち、応答時間）は、それぞれｔ１、ｔ２、ｔ１及びｔ２であり得る（ｔ１＜ｔ２）。また、第１粒子２６１、第２粒子２６２、第３粒子２６３及び第４粒子２６４は、白色を示し、第１粒子２６１、第２粒子２６２、第３粒子２６３及び第４粒子２６４がそれぞれ分散されている第１流体２７１、第２流体２７２、第３流体２７３及び第４流体２７４は、それぞれ赤色、緑色、青色及び黒色を示す。本発明の一実施例によれば、反射型表示装置２００の第１カプセルないし第４カプセル２５１〜２５４に印加される電場のパターン（すなわち、方向、強度及び印加時間）を多様に調節することによって、白色、赤色、緑色、青色及び黒色のうち少なくとも１つのカラーを多様に表示させうる。
【００９７】
図８Ａないし図８Ｐは、本発明の一実施例によって反射型表示装置に多様なパターンの電場を印加する構成を例示的に示す図面である。
【００９８】
まず、図８Ａを参照すれば、第１カプセルないし第４カプセル２５１〜２５４に対してＶＴ２以上の強度（すなわち、第３粒子２６３及び第４粒子２６４のスレショルド値）の電場をｔ２の時間（すなわち、第２粒子２６４及び第４粒子２６４の応答時間）の間に印加することによって、第１粒子２６１ないし第４粒子２６４がいずれも電気泳動によって移動して、上部電極２３０部分に集中して位置させうる。これにより、本発明の一実施例による反射型表示装置２００では、第１粒子２６１ないし第４粒子２６４のカラーである白色が表示される。
【００９９】
次いで、図８Ｂないし図８Ｅには、白色を除いた残りの４種のカラーのうち、１種のカラーを表示する実施例に関して示されている。また、図８Ｆないし図８Ｋには、白色を除いた残りの４種のカラーのうち、２種のカラーを混合して表示する実施例に関して示されている。また、図８Ｌないし図８Ｏには、白色を除いた残りの４種のカラーのうち、３種のカラーを混合して表示する実施例に関して示されている。また、図８Ｐには、白色を除いた残りの４種のカラーをいずれも混合して表示する実施例に関して示されている。
【０１００】
図８Ａないし図８Ｐの実施例は、前述した図４Ａないし図４Ｐの実施例と図６Ａないし図６Ｐの実施例とを結合したものに該当するので、図８Ａないし図８Ｐの実施例についての詳しい説明は、図４Ａないし図４Ｐの実施例についての説明と図６Ａないし図６Ｐの実施例についての説明とで代わりをする。
【０１０１】
一方、以上の実施例で、第１粒子ないし第４粒子２６１〜２６４のカラーが、いずれも白色であり、第１流体ないし第４流体２７１〜２７２のカラーが、それぞれ赤色、緑色、青色及び黒色である場合のみが説明されたが、必ずしもこれに限定されるものではなく、一方、第１粒子ないし第４粒子２６１〜２６４のカラーが、それぞれ赤色、緑色、青色及び黒色であり、第１流体ないし第４流体２７１〜２７２のカラーが、いずれも白色である場合も、十分に想定可能であるということを明らかにする。
【０１０２】
また、以上の実施例で、電場を印加して、第１粒子ないし第４粒子２６１〜２６４をいずれも上部電極２３０部分に集中して位置させた後で、追加的な電場を印加して、多様なカラーを具現する場合のみが説明されたが、必ずしもこれに限定されるものではなく、一方、逆方向の電場を印加して、第１粒子ないし第４粒子２６１〜２６４をいずれも下部電極２３０部分に集中して位置させた後で、追加的な電場を印加して、多様なカラーを具現する場合も、十分に想定可能であるということを明らかにする。
【０１０３】
［反射型表示装置の動作：明暗度の調節］
一方、本発明の一実施例によれば、反射型表示装置２００の各カプセルに対して印加される電場のパターンを調節することによって、反射型表示装置２００で表示されるカラーの明暗度（ｇｒａｙ  ｓｃａｌｅ）を調節することができる。
【０１０４】
図９は、本発明の一実施例によって電場の印加パターンを調節して反射型表示装置の明暗度を調節する構成を例示的に示す図面である。
【０１０５】
図９を参照すれば、特定のカラーを具現するために、所定のスレショルド値（ＶＴ）の強度で電場を印加することができる。この際、印加される電場の方向及び強度を示すパルスの幅、回数、周期または波形を調節することによって、特定のカラーの明暗度を調節し（図９Ａ、図９Ｂまたは図９Ｃ）、スレショルド値の強度で電場を印加した後で、スレショルド値よりも小さな強度で電場を印加することによって、特定のカラーの明暗度を調節し（図９Ｄ、隣接するスレショルド値の間の強度で電場を印加することによって、特定のカラーの明暗度を調節し（図９Ｅ）、前述した電場印加方法を結合することによって、特定のカラーの明暗度を調節することができる（図９Ｆ）。
【０１０６】
［反射型表示装置の動作：カラーの組合わせ］
一方、本発明の一実施例によれば、反射型表示装置を構成するカプセルには、多様なカラーの組合わせが適用可能である。
【０１０７】
図１０Ａないし図１０Ｃは、本発明の一実施例によって反射型表示装置のカプセルに適用可能なカラーの組合わせを例示的に示す図面である。
【０１０８】
図１０Ａないし図１０Ｃを参照すれば、反射型表示装置は、互いに異なる２種のカラーの流体をそれぞれ含む２種のカプセルを含みうるが、このような反射型表示装置は、２種のカプセルを１：１の比率で混合して、上部基板と下部基板との間に配置させることで製造可能である（図１０Ａ）。同様に、本発明の一実施例による反射型表示装置は、互いに異なる３種または４種のカラーの流体をそれぞれ含む３種または４種のカプセルを含みうるが、このような反射型表示装置は、３種または４種のカプセルを１：１：１の比率で、または１：１：１：１の比率で混合して、上部基板と下部基板との間に配置させることで製造可能である（図１０Ｂまたは図１０Ｃ）。
【０１０９】
図１１は、本発明の一実施例によって反射型表示装置のカプセルの配列に関する構成を例示的に示す図面である。
【０１１０】
図１１を参照すれば、それぞれ赤色（Ｒｅｄ、Ｒ）、緑色（Ｇｒｅｅｎ、Ｇ）、青色（Ｂｌｕｅ、Ｂ）及び黒色（Ｋ、ｂｌａｃｋ）に該当する複数のカプセルが一列に（Ｓｔｒｉｐｅ）配列され（図１１の（ａ））、正方形を成し、モザイク（ｍｏｓａｉｃ）方式で配列され（図１１の（ｂ））、三角形（ＴｒｉａｎｇｌｅまたはＤｅｌｔａ）を成し、繰り返して配列され（図１１の（ｃ））、菱形状を成し、繰り返して配列されうる（図１１の（ｄ））。
【０１１１】
一方、本発明の一実施例によれば、反射型表示装置を構成する各カプセルに含まれる粒子及び流体には、多様なカラーの組合わせが適用可能である。
【０１１２】
図１２は、本発明の一実施例によって反射型表示装置のカプセル内の粒子及び流体に適用可能なカラーの組合わせを例示的に示す図面である。
【０１１３】
図１２の（ａ）及び図１２の（ｂ）を参照すれば、赤色（Ｒ）、緑色（Ｇ）、青色（Ｂ）、黒色（Ｋ）及び白色（Ｗｈｉｔｅ、Ｗ）のうち少なくとも１つのカラーが、粒子または流体に適用可能である。
【０１１４】
図１２の（ｃ）及び図１２の（ｄ）を参照すれば、シアン（Ｃｙａｎ、Ｃ）、マゼンタ（Ｍａｇｅｎｔａ、Ｍ）、イエロー（Ｙｅｌｌｏｗ、Ｙ）、黒色（Ｋ）及び白色（Ｗ）のうち少なくとも１つのカラーが、粒子または流体に適用可能である。
【０１１５】
また、図１２に示されたカラーの組合わせにおいて、粒子が所定のカラーを有する場合には、流体が透明に構成されることもある。
【０１１６】
［反射型表示装置の応用］
本発明の一実施例によれば、反射型表示装置は、前述されたカプセル構造に限定されず、多様な構造の素子に応用されうる。
【０１１７】
まず、図１３は、本発明の一実施例によって隔壁構造からなる反射型表示装置の構成を例示的に示す図面である。
【０１１８】
図１３を参照すれば、隔壁１３８０に区分される単位セル１３５１〜１３５４ごとに基本カラーを有するベース粒子１３６１〜１３６４が、それぞれ特有のカラーを有する多種の流体１３７１〜１３７４に分散された状態で含まれている。
【０１１９】
一方、本発明の一実施例によれば、図１３でのように、基本カラーを有するベース粒子が、それぞれ特有のカラーを有する多種の流体に分散された状態で含まれる単位セルと、図２でのように、それぞれ特有のカラーを有する多種のカラー粒子が、基本カラーを有するベース流体に分散された状態（または、それぞれ特有のカラーを有する多種のカラー粒子と基本カラーを有するベース粒子とが基本カラーを有するベース流体に分散された状態）で含まれる単位セルと、が互いに混合されて配置される。
【０１２０】
次いで、図１４Ａないし図１４Ｂは、本発明の一実施例によって１つの単位セルに２種の粒子が含まれる反射型表示装置の構成を例示的に示す図面である。
【０１２１】
図１４を参照すれば、カプセル１４５１〜１４５４ごとに互いに異なるカラーを有する２種の粒子１４６１〜１４６５が、透明な流体１４７０に分散された状態で含まれ（図１４Ａ）、隔壁１４８０に区分される単位セル１４５１〜１４５４ごとに互いに異なるカラーを有する２種の粒子１４６１〜１４６５が、透明な流体１４７０に分散された状態で含まれている（図１４Ｂ）。ここで、互いに異なるカラーを有する２種の粒子は、電場が印加される場合に同じ電気泳動の特性（すなわち、スレショルド値及び応答時間）を有しうる。
【０１２２】
一方、本発明の一実施例によれば、単位セル１４５１〜１４５４内に含まれる同じ符号の電荷を有する２種の粒子の電荷量、サイズ、構造、材料などを互いに異ならせて、各単位セルごとに２種の粒子の間のスレショルド値、応答時間及び双安定性を異ならせて設定することができる。
【０１２３】
図１５は、本発明の一実施例によって回転自在な粒子が単位セルとして含まれる反射型表示装置の構成を例示的に示す図面である。
【０１２４】
図１５を参照すれば、印加される電場によって回転することによって、特有のカラーを示す粒子（別名、ツイストボール（ｔｗｉｓｔ  ｂａｌｌ））１５５１〜１５５４が、上部電極１５３０と下部電極１５４０との間に回転自在な状態で含まれている。
【０１２５】
図１６は、本発明の一実施例によって隔壁構造からなる乾式方式の反射型表示装置の構成を例示的に示す図面である。
【０１２６】
図１６を参照すれば、隔壁１６８０に区分される単位セル１６５１〜１６５４ごとに互いに異なるカラーを有する２種の粒子１６６１〜１６６５が、流体の代わりに、透明な空気１６７０と共に封入されている。ここで、互いに異なるカラーを有する２種の粒子は、電場が印加される場合に同じ電気泳動の特性（すなわち、スレショルド値及び応答時間）を有しうる。
【０１２７】
図１７は、本発明の一実施例によって電気湿潤式反射型表示装置の構成を例示的に示す図面である。
【０１２８】
図１７を参照すれば、隔壁１７８０に区分される単位セル１７５１〜１７５４ごとにそれぞれ特有のカラーを有し、互いに異なる電気湿潤の特性を有するオイル１７６１〜１７６４が、透明な流体（例えば、水など）１７７０に分散された状態で含まれている。ここで、互いに異なるカラーを有するオイル１７６１〜１７６４は、電場が印加される場合に互いに異なる電気泳動の特性（すなわち、スレショルド値及び応答時間）を有しうる。
【０１２９】
一方、図面に図示されていないが、本発明による反射型表示装置の特徴的な構成は、液晶（Ｌｉｑｕｉｄ  Ｃｒｙｓｔａｌ）表示装置にも適用可能である。すなわち、本発明の一実施例によれば、ネマティック（Ｎｅｍａｔｉｃ）液晶、スメクティック（Ｓｍｅｃｔｉｃ）液晶、コレステリック（Ｃｈｏｌｅｓｔｅｒｉｃ）液晶などがこれに該当するが、これら液晶は、外部電場、外部磁場、温度などによって、その配列状態が変化され、誘電率が変化されうる。したがって、本発明の一実施例によれば、外部電場によって配列状態が変化される液晶のうち、特定の強度以上の電場が印加されるか、特定の時間の間に引き続き電場が印加される時、配列状態が急変する液晶を使うことによって、結果的に、電場のスレショルド値または応答時間が存在する反射型表示装置を具現することができる。
【０１３０】
一方、本発明の一実施例によれば、本発明による反射型表示装置の特徴的な構成は、磁場によって磁化率及び磁気分極量が変化する物質を含む表示装置にも適用可能である。
【０１３１】
一方、本発明の一実施例によれば、本発明による反射型表示装置の特徴的な構成は、光度または波長によって光の特性が変化する物質を含む光反応表示装置にも適用可能である。
【０１３２】
本発明の一実施例によれば、本発明による反射型表示装置の特徴的な構成は、温度または熱によって光の特性が変化される物質を含む熱反応表示装置にも適用可能である。
【０１３３】
一方、本発明の実施例によれば、反射型表示装置は、多様なセンシング情報を獲得するセンシング部（図示せず）をさらに含みうる。ここで、センシング部は、磁場センサー、ジャイロセンサー、温度センサー、湿度センサー、圧力センサー、音響センサー、光センサー、電流センサー、電圧センサー、電荷センサー、酸性度センサー、光センサー、映像センサー、音響センサー、人体信号センサー及びタイマのうち少なくとも１つを含みうる。また、本発明の一実施例によれば、センシング部によって感知される情報に関する入力信号を獲得し、このように獲得された入力信号を参照にして反射型表示装置に含まれる複数の単位セルから表示されるカラーに対する制御信号を生成することができる。したがって、本発明による反射型表示装置上で表示されるカラー、イメージまたは映像は、磁場、温度、湿度、圧力、光量、ノイズなどの外部環境によって適応的に制御される。
【０１３４】
２．本発明の他の実施例による反射型表示装置
［反射型表示装置の構成］
図１８は、本発明の他の実施例によって反射型表示装置の構成を例示的に示す図面である。
【０１３５】
図１８を参照すれば、本発明の他の実施例による反射型表示装置１８００は、上部基板１８１０、下部基板１８２０、上部電極１８３０及び下部電極１８４０を含みうる。また、本発明の他の実施例による反射型表示装置１８００は、上部電極１８３０と下部電極１８４０との間に少なくとも１つの隔壁１８８０に区分され、互いに異なる種類の粒子１８６１〜１８６４と流体１８７１〜１８７４とを含む少なくとも１つの単位セル１８５１〜１８５４を含みうる。また、本発明の他の実施例によれば、各単位セル１８５１〜１８５４に含まれる粒子１８６１〜１８６４が、いずれも白色であり、下部基板１８２０は、各単位セルに対応する領域ごとに互いに異なるカラーを有するカラー層を含み（図１８の（ａ））、これとは違って、各単位セル１８５１〜１８５４に含まれる粒子１８６１〜１８６４が、互いに異なるカラーを有し、下部基板１８２０は、各単位セルに対応するあらゆる領域に対して白色を有するカラー層を含みうる（図１８の（ｂ））。
【０１３６】
引き続き、図１８を参照すれば、反射型表示装置１８００の下部電極１８４０は、反射型表示装置１８００の表示面上の一部領域にのみ局部的に形成されうる。具体的に、反射型表示装置１８００の下部電極１８４０は、隔壁１８８０が形成された位置または単位セルごとに定義される特定の位置にのみ局部的に形成され、このように形成される下部電極１８４０は、上部電極１８３０に比べて、相対的に面積が小さく、上部電極１８３０と非対称的な形態を有しうる。これにより、粒子１８６１〜１８６４が下部電極１８４０の付近に集中して位置すれば、上部基板１８１０や下部基板１８２０に形成されたカラー層１８９１〜１８９４が露出される。したがって、下部電極１８４０を通じて所定の電場が印加されれば、単位セル１８５１〜１８５４内の粒子１８６１〜１８６４が下部電極１８４０側に移動して、下部電極１８４０部分に集中して位置し、このような場合、反射型表示装置１８００では、粒子１８６１〜１８６４のカラーがほぼ表示されず、上部基板１８１０、下部基板１８２０、上部電極１８３０及び下部電極１８４０のうち少なくとも１つのカラーが主に表示される（図１８の（ａ）及び図１８の（ｂ）参照）。
【０１３７】
図１９ないし図２１は、本発明の他の実施例によって反射型表示装置の構成を例示的に示す図面である。
【０１３８】
まず、図１９を参照すれば、本発明の他の実施例による反射型表示装置１９００の上部基板１９１０が、所定のカラー層を含みうる。具体的に、各単位セル１９５１〜１９５４に含まれる粒子１９６１〜１９６４が、いずれも白色であり、上部基板１９１０は、各単位セルに対応する領域ごとに互いに異なるカラーを有するカラー層を含み（図１９の（ａ））、これとは違って、各単位セル１９５１〜１９５４に含まれる粒子１９６１〜１９６４が、互いに異なるカラーを有し、上部基板１９１０は、各単位セルに対応するあらゆる領域に対して白色を有するカラー層を含みうる（図１９の（ｂ））。
【０１３９】
次いで、図２０及び図２１を参照すれば、本発明の他の実施例による反射型表示装置２０００の単位セルは、カプセル２０５１〜２０５４からなり、下部電極２０４０は、隣合うカプセルが互いに合う位置または単位セルごとに定義される特定の位置に局部的に形成されうる。また、本発明の他の実施例によれば、各カプセル２０５１〜２０５４に含まれる粒子２０６１〜２０６４が、いずれも白色であり、下部基板２０２０は、各カプセルに対応する領域ごとに互いに異なるカラーを有するカラー層を含み（図２０参照）、これとは違って、各カプセル２０５１〜２０５４に含まれる粒子２０６１〜２０６４が、互いに異なるカラーを有し、下部基板２０２０は、各単位セルに対応するあらゆる領域に対して白色を有するカラー層を含みうる（図２１参照）。
【０１４０】
一方、本発明の他の実施例によれば、少なくとも１つの単位セルに含まれる粒子と流体は、これらを駆動する（すなわち、移動させる、または電気泳動させる）のに必要な電場の最小強度（すなわち、スレショルド値）または最小印加時間（すなわち、応答時間）が互いに異なるように構成することができる。
【０１４１】
具体的に、図１８を参照にして説明すれば、第１粒子１８６１、第２粒子１８６２、第３粒子１８６３及び第４粒子１８６４は、印加される電場強度がそれぞれのスレショルド値未満である場合には動かず、印加される電場強度がそれぞれのスレショルド値以上である場合にのみ動くが、この際、第１粒子１８６１、第２粒子１８６２、第３粒子１８６３及び第４粒子１８６４のスレショルド値は、互いに異なって具現されうる。
【０１４２】
また、本発明の他の実施例によれば、第１粒子１８６１、第２粒子１８６２、第３粒子１８６３及び第４粒子１８６４は、電場がそれぞれの応答時間未満の間に印加される場合には動かず、電場がそれぞれの応答時間以上印加される場合にのみ動くが、この際、第１粒子１８６１、第２粒子１８６２、第３粒子１８６３及び第４粒子１８６４の応答時間は、互いに異なって具現されうる。
【０１４３】
本発明の他の実施例によれば、カプセルに含まれる粒子のスレショルド値または応答時間を調節するための方法として、粒子の表面電荷、ゼータ電位、誘電定数、比重、密度、サイズ、形状及び構造、粒子が分散された流体の誘電定数、粘度及び比重、粒子が分散された流体内に添加される添加剤、粒子及び流体に電場を印加する電極の電極パターン、電極間隔、電極サイズ及び電極材料、電極によって粒子に実質的に加えられる電場などを調節することができる。
【０１４４】
［反射型表示装置の動作：スレショルド値］
図２２は、本発明の他の実施例によって反射型表示装置の各単位セルに含まれる粒子を移動させるための電場強度のスレショルド値を例示的に示す図面である。
【０１４５】
図２２を参照すれば、反射型表示装置１８００の第１粒子１８６１、第２粒子１８６２、第３粒子１８６３及び第４粒子１８６４の移動に必要な電場強度のスレショルド値の強度は、それぞれＶＴ１、ＶＴ２、ＶＴ３及びＶＴ４であり得る（ＶＴ１＜ＶＴ２＜ＶＴ３＜ＶＴ４）。また、第１粒子１８６１、第２粒子１８６２、第３粒子１８６３及び第４粒子１８６４は、白色を示し、第１粒子１８６１、第２粒子１８６２、第３粒子１８６３及び第４粒子１８６４をそれぞれ含む単位セルにそれぞれ対応する第１カラー層１８９１、第２カラー層１８９２、第３カラー層１８９３及び第４カラー層１８９４は、それぞれ赤色、緑色、青色及び黒色を示す。本発明の他の実施例によれば、反射型表示装置１８００の第１単位セルないし第４単位セル１８５１〜１８５４に印加される電場のパターン（すなわち、方向及び強度）を多様に調節することによって、白色、赤色、緑色、青色及び黒色のうち少なくとも１つのカラーを多様に表示させうる。
【０１４６】
図２３Ａないし図２３Ｐは、本発明の他の実施例によって反射型表示装置に多様なパターンの電場を印加する構成を例示的に示す図面である。
【０１４７】
まず、図２３Ａを参照すれば、第１単位セルないし第４単位セル１８５１〜１８５４に対してＶＴ４以上の強度の電場を印加することによって、第１粒子１８６１ないし第４粒子１８６４がいずれも電気泳動によって移動して、下部電極１８４０から離れて上部電極１８３０の付近に集中して位置するか、各単位セル１８５１〜１８５４の内部に不規則的に分散させうる。これにより、本発明の他の実施例による反射型表示装置１８００では、第１粒子１８６１ないし第４粒子１８６４のカラーである白色が表示される。
【０１４８】
白色を除いた残りの４種のカラーのうち、１種のカラーを表示する方法は、次の通りである。
【０１４９】
次いで、図２３Ｂを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ１強度（すなわち、第１粒子１８６１のスレショルド値）で印加することによって、第１粒子１８６１のみ電気泳動によって移動して、下部電極１８４０部分に集中して位置させうる。これにより、本発明の他の実施例による反射型表示装置１８００では、第２粒子ないし第４粒子１８６２〜１８６４のカラーである白色と第１カラー層１８９１のカラーである赤色とが混合されて表示される。
【０１５０】
次いで、図２３Ｃを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ２強度（すなわち、第２粒子１８６２のスレショルド値）で印加した後で、図２３Ａで印加された電場と同じ方向の電場をＶＴ１強度（すなわち、第１粒子１８６１のスレショルド値）で印加することによって、第２粒子１８６２のみ電気泳動によって移動して、下部電極１８４０部分に集中して位置させうる。これにより、本発明の他の実施例による反射型表示装置１８００では、第１粒子１８６１、第３粒子１８６３及び第４粒子１８６４のカラーである白色と第２カラー層１８９２のカラーである緑色とが混合されて表示される。
【０１５１】
次いで、図２３Ｄを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ３強度（すなわち、第３粒子１８６３のスレショルド値）で印加した後で、図２３Ａで印加された電場と同じ方向の電場をＶＴ２強度（すなわち、第２粒子１８６２のスレショルド値）で印加することによって、第３粒子１８６３のみ電気泳動によって移動して、下部電極１８４０部分に集中して位置させうる。これにより、本発明の他の実施例による反射型表示装置１８００では、第１粒子１８６１、第２粒子１８６２及び第４粒子１８６４のカラーである白色と第３カラー層１８９３のカラーである青色とが混合されて表示される。
【０１５２】
次いで、図２３Ｅを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ３強度（すなわち、第３粒子１８６３のスレショルド値）で印加することによって、第４粒子１８６４のみ電気泳動によって移動して、下部電極１８４０部分に集中して位置させうる。これにより、本発明の他の実施例による反射型表示装置１８００では、第１粒子１８６１、第２粒子１８６２及び第３粒子１８６３のカラーである白色と第４カラー層１８９４のカラーである黒色とが混合されて表示される。
【０１５３】
白色を除いた残りの４種のカラーのうち、２種のカラーを混合して表示する方法は、次の通りである。
【０１５４】
次いで、図２３Ｆを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ２強度（すなわち、第２粒子１８６２のスレショルド値）で印加することによって、第１粒子１８６１及び第２粒子１８６２が電気泳動によって移動して、下部電極１８４０部分に集中して位置させうる。これにより、本発明の他の実施例による反射型表示装置１８００では、第３粒子１８６３及び第４粒子１８６４のカラーである白色と第１カラー層１８９１のカラーである赤色と第２カラー層１８９２のカラーである緑色とが混合されて表示される。
【０１５５】
次いで、図２３Ｇを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ３強度（すなわち、第３粒子１８６３のスレショルド値）で印加した後で、図２３Ａで印加された電場と同じ方向の電場をＶＴ１強度（すなわち、第１粒子１８６１のスレショルド値）で印加することによって、第２粒子１８６２及び第３粒子１８６３が電気泳動によって移動して、下部電極１８４０部分に集中して位置させうる。これにより、本発明の他の実施例による反射型表示装置１８００では、第１粒子１８６１及び第４粒子１８６４のカラーである白色と第２カラー層１８９２のカラーである緑色と第３カラー層１８９３のカラーである青色とが混合されて表示される。
【０１５６】
次いで、図２３Ｈを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ３強度（すなわち、第３粒子１８６３のスレショルド値）で印加した後で、図２３Ａで印加された電場と同じ方向の電場をＶＴ２強度（すなわち、第２粒子１８６２のスレショルド値）で印加した後で、再び図２３Ａで印加された電場と逆方向の電場をＶＴ１強度（すなわち、第１粒子１８６１のスレショルド値）で印加することによって、第１粒子１８６１及び第３粒子１８６３が電気泳動によって移動して、下部電極１８４０部分に集中して位置させうる。これにより、本発明の他の実施例による反射型表示装置１８００では、第１粒子１８６１及び第３粒子１８６３のカラーである白色と第２カラー層１８９２のカラーである緑色と第４カラー層１８９４のカラーである黒色とが混合されて表示される。
【０１５７】
次いで、図２３Ｉを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ２強度（すなわち、第２粒子１８６２のスレショルド値）で印加することによって、第３粒子１８６３及び第４粒子１８６４が電気泳動によって移動して、下部電極１８４０部分に集中して位置させうる。これにより、本発明の他の実施例による反射型表示装置１８００では、第１粒子１８６１及び第２粒子１８６２のカラーである白色と第３カラー層１８９３のカラーである青色と第４カラー層１８９４のカラーである黒色とが混合されて表示される。
【０１５８】
次いで、図２３Ｊを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ３強度（すなわち、第３粒子１８６３のスレショルド値）で印加した後で、再び図２３Ａで印加された電場と逆方向の電場をＶＴ１強度（すなわち、第１粒子１８６１のスレショルド値）で印加することによって、第１粒子１８６１及び第４粒子１８６４が電気泳動によって移動して、下部電極１８４０部分に集中して位置させうる。これにより、本発明の他の実施例による反射型表示装置１８００では、第２粒子１８６２及び第３粒子１８６３のカラーである白色と第１カラー層１８９１のカラーである赤色と第４カラー層１８９４のカラーである黒色とが混合されて表示される。
【０１５９】
次いで、図２３Ｋを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ３強度（すなわち、第３粒子１８６３のスレショルド値）で印加した後で、再び図２３Ａで印加された電場と逆方向の電場をＶＴ２強度（すなわち、第２粒子１８６２のスレショルド値）で印加した後で、再び図２３Ａで印加された電場と同じ方向の電場をＶＴ１強度（すなわち、第１粒子１８６１のスレショルド値）で印加することによって、第２粒子１８６２及び第４粒子１８６４が電気泳動によって移動して、下部電極１８４０部分に集中して位置させうる。これにより、本発明の他の実施例による反射型表示装置１８００では、第１粒子１８６１及び第３粒子１８６３のカラーである白色と第２カラー層１８９２のカラーである緑色と第４カラー層１８９４のカラーである黒色とが混合されて表示される。
【０１６０】
白色を除いた残りの４種のカラーのうち、３種のカラーを混合して表示する方法は、次の通りである。
【０１６１】
次いで、図２３Ｌを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ３強度（すなわち、第３粒子１８６３のスレショルド値）で印加することによって、第１粒子１８６１、第２粒子１８６２及び第３粒子１８６３が電気泳動によって移動して、下部電極１８４０部分に集中して位置させうる。これにより、本発明の他の実施例による反射型表示装置１８００では、第４粒子１８６４のカラーである白色と第１カラー層１８９１のカラーである赤色と第２カラー層１８９２のカラーである緑色と第３カラー層１８９３のカラーである青色とが混合されて表示される。
【０１６２】
次いで、図２３Ｍを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ１強度（すなわち、第１粒子１８６１のスレショルド値）で印加することによって、第２粒子１８６２、第３粒子１８６３及び第４粒子１８６４が電気泳動によって移動して、下部電極１８４０部分に集中して位置させうる。これにより、本発明の他の実施例による反射型表示装置１８００では、第１粒子１８６１のカラーである白色と第２カラー層１８９２のカラーである緑色と第３カラー層１８９３のカラーである青色と第４カラー層１８９４のカラーである黒色とが混合されて表示される。
【０１６３】
次いで、図２３Ｎを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ２強度（すなわち、第２粒子１８６２のスレショルド値）で印加した後で、再び図２３Ａで印加された電場と逆方向の電場をＶＴ１強度（すなわち、第１粒子１８６１のスレショルド値）で印加することによって、第１粒子１８６１、第３粒子１８６３及び第４粒子１８６４が電気泳動によって移動して、下部電極１８４０部分に集中して位置させうる。これにより、本発明の他の実施例による反射型表示装置１８００では、第２粒子１８６２のカラーである白色と第１カラー層１８９１のカラーである赤色と第３カラー層１８９３のカラーである青色と第４カラー層１８９４のカラーである黒色とが混合されて表示される。
【０１６４】
次いで、図２３Ｏを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加した後で、図２３Ａで印加された電場と同じ方向の電場をＶＴ３強度（すなわち、第３粒子１８６３のスレショルド値）で印加した後で、再び図２３Ａで印加された電場と逆方向の電場をＶＴ２強度（すなわち、第２粒子１８６２のスレショルド値）で印加することによって、第１粒子１８６１、第２粒子１８６２及び第４粒子１８６４が電気泳動によって移動して、下部電極１８４０部分に集中して位置させうる。これにより、本発明の他の実施例による反射型表示装置１８００では、第３粒子１８６３のカラーである白色と第１カラー層１８９１のカラーである赤色と第２カラー層１８９２のカラーである緑色と第４カラー層１８９４のカラーである黒色とが混合されて表示される。
【０１６５】
白色を除いた残りの４種のカラーをいずれも混合して表示する方法は、次の通りである。
【０１６６】
次いで、図２３Ｐを参照すれば、第１粒子１８６１ないし第４粒子１８６４が、いずれも下部電極１８４０から離れて上部電極１８３０の付近に集中して位置するか、各単位セル１８５１〜１８５４の内部に不規則的に分散されている状態で、第１単位セルないし第４単位セル１８５１〜１８５４に対して、図２３Ａで印加された電場と逆方向の電場をＶＴ４強度（すなわち、第４粒子１８６４のスレショルド値）で印加することによって、第１粒子ないし第４粒子１８６１〜１８６４がいずれも電気泳動によって移動して、下部電極１８４０部分に集中して位置させうる。これにより、本発明の他の実施例による反射型表示装置１８００では、第１カラー層１８９１のカラーである赤色と第２カラー層１８９２のカラーである緑色と第３カラー層１８９３のカラーである青色と第４カラー層１８９４のカラーである黒色とがいずれも混合されて表示される。
【０１６７】
［反射型表示装置の動作：応答時間］
図２４は、本発明の他の実施例によって反射型表示装置の各単位セルに含まれる粒子を移動させるための電場の最小印加時間（すなわち、応答時間）を例示的に示す図面である。
【０１６８】
図２４を参照すれば、反射型表示装置１８００の第１粒子１８６１、第２粒子１８６２、第３粒子１８６３及び第４粒子１８６４の移動に必要な電場の最小印加時間（すなわち、応答時間）は、それぞれｔ１、ｔ２、ｔ３及びｔ４であり得る（ｔ１＜ｔ２＜ｔ３＜ｔ４）。また、第１粒子１８６１、第２粒子１８６２、第３粒子１８６３及び第４粒子１８６４は、白色を示し、第１粒子１８６１、第２粒子１８６２、第３粒子１８６３及び第４粒子１８６４をそれぞれ含む単位セルにそれぞれ対応する第１カラー層１８９１、第２カラー層１８９２、第３カラー層１８９３及び第４カラー層１８９４は、それぞれ赤色、緑色、青色及び黒色を示す。本発明の他の実施例によれば、反射型表示装置１８００の第１単位セルないし第４単位セル１８５１〜１８５４に印加される電場のパターン（すなわち、方向及び印加時間）を多様に調節することによって、白色、赤色、緑色、青色及び黒色のうち少なくとも１つのカラーを多様に表示させうる。
【０１６９】
図２５Ａないし図２５Ｐは、本発明の他の実施例によって反射型表示装置に多様なパターンの電場を印加する構成を例示的に示す図面である。
【０１７０】
まず、図２５Ａを参照すれば、第１単位セルないし第４単位セル１８５１〜１８５４に対してｔ４の時間（すなわち、第４粒子１８６４の応答時間）の間に電場を印加することによって、第１粒子１８６１ないし第４粒子１８６４がいずれも電気泳動によって移動して、下部電極１８４０から離れて上部電極１８３０の付近に集中して位置するか、各単位セル１８５１〜１８５４の内部に不規則的に分散させうる。これにより、本発明の他の実施例による反射型表示装置１８００では、第１粒子１８６１ないし第４粒子１８６４のカラーである白色が表示される。
【０１７１】
次いで、図２５Ｂないし図２５Ｅには、白色を除いた残りの４種のカラーのうち、１種のカラーを表示する実施例に関して示されている。また、図２５Ｆないし図２５Ｋには、白色を除いた残りの４種のカラーのうち、２種のカラーを混合して表示する実施例に関して示されている。また、図２５Ｌないし図２５Ｏには、白色を除いた残りの４種のカラーのうち、３種のカラーを混合して表示する実施例に関して示されている。また、図２５Ｐには、白色を除いた残りの４種のカラーをいずれも混合して表示する実施例に関して示されている。
【０１７２】
図２５Ａないし図２５Ｐの実施例は、前述した図６Ａないし図６Ｐの実施例と図２３Ａないし図２３Ｐの実施例とを参照することによって、容易に理解されるので、図２５Ａないし図２５Ｐの実施例についての詳しい説明は、図６Ａないし図６Ｐの実施例についての説明と図２３Ａないし図２３Ｐの実施例についての説明とで代わりをする。
【０１７３】
［反射型表示装置の動作：スレショルド値及び応答時間］
図２６は、本発明の他の実施例によって反射型表示装置の各単位セルに含まれる粒子を移動させるための電場強度のスレショルド値と最小印加時間（すなわち、応答時間）を例示的に示す図面である。
【０１７４】
図２６を参照すれば、反射型表示装置１８００の第１粒子１８６１、第２粒子１８６２、第３粒子１８６３及び第４粒子１８６４の移動に必要な電場強度のスレショルド値は、それぞれＶＴ１、ＶＴ１、ＶＴ２及びＶＴ２であり得る（ＶＴ１＜ＶＴ２）。また、反射型表示装置１８００の第１粒子１８６１、第２粒子１８６２、第３粒子１８６３及び第４粒子１８６４の移動に必要な電場の最小印加時間（すなわち、応答時間）は、それぞれｔ１、ｔ２、ｔ１及びｔ２であり得る（ｔ１＜ｔ２）。また、第１粒子１８６１、第２粒子１８６２、第３粒子１８６３及び第４粒子１８６４は、白色を示し、第１粒子１８６１、第２粒子１８６２、第３粒子１８６３及び第４粒子１８６４をそれぞれ含む単位セルにそれぞれ対応する第１カラー層１８９１、第２カラー層１８９２、第３カラー層１８９３及び第４カラー層１８９４は、それぞれ赤色、緑色、青色及び黒色を示す。本発明の他の実施例によれば、反射型表示装置１８００の第１単位セルないし第４単位セル１８５１〜１８５４に印加される電場のパターン（すなわち、方向及び印加時間）を多様に調節することによって、白色、赤色、緑色、青色及び黒色のうち少なくとも１つのカラーを多様に表示させうる。
【０１７５】
図２７Ａないし図２７Ｐは、本発明の他の実施例によって反射型表示装置に多様なパターンの電場を印加する構成を例示的に示す図面である。
【０１７６】
まず、図２７Ａを参照すれば、第１単位セルないし第４単位セル１８５１〜１８５４に対してＶＴ２以上の強度（すなわち、第３粒子１８６３及び第４粒子１８６４のスレショルド値）の電場をｔ２の時間（すなわち、第２粒子１８６４及び第４粒子１８６４の応答時間）の間に印加することによって、第１粒子１８６１ないし第４粒子１８６４がいずれも電気泳動によって移動して、下部電極１８４０から離れて各単位セル１８５１〜１８５４の内部に不規則的に分散させうる。これにより、本発明の他の実施例による反射型表示装置１８００では、第１粒子１８６１ないし第４粒子１８６４のカラーである白色が表示される。
【０１７７】
次いで、図２７Ｂないし図２７Ｅには、白色を除いた残りの４種のカラーのうち、１種のカラーを表示する実施例に関して示されている。また、図２７Ｆないし図２７Ｋには、白色を除いた残りの４種のカラーのうち、２種のカラーを混合して表示する実施例に関して示されている。また、図２７Ｌないし図２７Ｏには、白色を除いた残りの４種のカラーのうち、３種のカラーを混合して表示する実施例に関して示されている。また、図２７Ｐには、白色を除いた残りの４種のカラーをいずれも混合して表示する実施例に関して示されている。
【０１７８】
図２７Ａないし図２７Ｐの実施例は、前述した図２３Ａないし図２３Ｐの実施例と図２５Ａないし図２５Ｐの実施例とを結合したものに該当するので、図２７Ａないし図２７Ｐの実施例についての詳しい説明は、図２３Ａないし図２３Ｐの実施例についての説明と図２５Ａないし図２５Ｐの実施例についての説明とで代わりをする。
【０１７９】
［反射型表示装置の動作：明暗度の調節］
一方、本発明の他の実施例によれば、反射型表示装置１８００の各カプセルに対して印加される電場のパターンを調節することによって、反射型表示装置１８００で表示されるカラーの明暗度を調節することができる。
【０１８０】
図９は、本発明の他の実施例によって電場の印加パターンを調節して反射型表示装置の明暗度を調節する構成を例示的に示す図面である。
【０１８１】
図９を参照すれば、特定のカラーを具現するために、所定のスレショルド値（ＶＴ）の強度で電場を印加することができる。この際、印加される電場の方向及び強度を示すパルスの幅、回数、周期または波形を調節することによって、特定のカラーの明暗度を調節し（図９Ａ、図９Ｂまたは図９Ｃ）、スレショルド値の強度で電場を印加した後で、スレショルド値よりも小さな強度で電場を印加することによって、特定のカラーの明暗度を調節し（図９Ｄ、隣接するスレショルド値の間の強度で電場を印加することによって、特定のカラーの明暗度を調節し（図９Ｅ）、前述した電場印加方法を結合することによって、特定のカラーの明暗度を調節することができる（図９Ｆ）。
【０１８２】
［反射型表示装置の動作：カラーの組合わせ］
一方、本発明の他の実施例によれば、反射型表示装置を構成するカプセルには、多様なカラーの組合わせが適用可能である。
【０１８３】
図１０Ａないし図１０Ｃは、本発明の他の実施例によって反射型表示装置のカプセルに適用可能なカラーの組合わせを例示的に示す図面である。
【０１８４】
図１０Ａないし図１０Ｃを参照すれば、反射型表示装置は、互いに異なる２種のカラーの流体をそれぞれ含む２種のカプセルを含みうるが、このような反射型表示装置は、２種のカプセルを１：１の比率で混合して、上部基板と下部基板との間に配置させることで製造可能である（図１０Ａ）。同様に、本発明の他の実施例による反射型表示装置は、互いに異なる３種または４種のカラーの流体をそれぞれ含む３種または４種のカプセルを含みうるが、このような反射型表示装置は、３種または４種のカプセルを１：１：１の比率で、または１：１：１：１の比率で混合して、上部基板と下部基板との間に配置させることで製造可能である（図１０Ｂまたは図１０Ｃ）。
【０１８５】
図１１は、本発明の他の実施例によって反射型表示装置のカプセルの配列に関する構成を例示的に示す図面である。
【０１８６】
図１１を参照すれば、それぞれ赤色（Ｒ）、緑色（Ｇ）、青色（Ｂ）及び黒色（Ｋ）に該当する複数のカプセルが一列に配列され（図１１の（ａ））、正方形を成し、モザイク方式で配列され（図１１の（ｂ））、三角形（ＴｒｉａｎｇｌｅまたはＤｅｌｔａ）を成し、繰り返して配列され（図１１の（ｃ））、菱形状を成し、繰り返して配列されうる（図１１の（ｄ））。
【０１８７】
一方、本発明の他の実施例によれば、反射型表示装置を構成する各カプセルに含まれる粒子及び流体には、多様なカラーの組合わせが適用可能である。
【０１８８】
図１２は、本発明の他の実施例によって反射型表示装置のカプセル内の粒子及び流体に適用可能なカラーの組合わせを例示的に示す図面である。
【０１８９】
図１２の（ａ）及び図１２の（ｂ）を参照すれば、赤色（Ｒ）、緑色（Ｇ）、青色（Ｂ）、黒色（Ｋ）及び白色（Ｗ）のうち少なくとも１つのカラーが、粒子または流体に適用可能である。
【０１９０】
図１２の（ｃ）及び図１２の（ｄ）を参照すれば、シアン（Ｃ）、マゼンタ（Ｍ）、イエロー（Ｙ）、黒色（Ｋ）及び白色（Ｗ）のうち少なくとも１つのカラーが、粒子または流体に適用可能である。
【０１９１】
また、図１２に示されたカラーの組合わせにおいて、粒子が所定のカラーを有する場合には、流体が透明に構成されることもある。
【０１９２】
［反射型表示装置の製作］
本発明の他の実施例によれば、所定の比率で混合された互いに異なるカラーのカプセルを反射型表示装置の上部基板と下部基板との間に一度に積層させることができる。また、本発明の他の実施例によれば、反射型表示装置の上部基板と下部基板との間に隔壁構造を形成した後で、インクジェット注入方式を用いて隔壁の間に粒子と流体とを注入した後、密封（ｓｅａｌｉｎｇ）することができる。また、本発明の他の実施例によれば、反射型表示装置の上部基板と下部基板との間に隔壁構造を形成し、密封した後で、真空注入方式または毛細管現象を利用した注入方式を用いて隔壁の間に粒子と流体とを注入することができる。
【０１９３】
図２８は、本発明の他の実施例によって反射型表示装置の隔壁の構成を例示的に示す図面である。
【０１９４】
図２８を参照すれば、隔壁は、多様なパターンで形成されうるが、例えば、蜂の巣パターン（図２８の（ａ））、縞パターン（図２８の（ｂ））、格子型パターン（図２８の（ｃ））などで隔壁が形成されうる。
【０１９５】
図２９ないし図３２は、本発明の一実施例によって、それぞれ赤色（Ｒ）及び青色（Ｂ）を有し、互いに異なる応答時間を有する２種の粒子が混合された状態で電場の印加時間を調節して多様なカラーを表示させた実験例を示す図面である。
【０１９６】
まず、図２９を参照すれば、所定パターンの電場が印加されることによって（図２９の（ｂ）参照）、赤色粒子と青色粒子とが電気泳動によって移動して、下部電極から離れて上部電極の付近に集中して位置することによって、赤色と青色とが混合されて表示される（図２９の（ａ）参照）。
【０１９７】
次いで、図３０を参照すれば、所定パターンの電場が印加されることによって（図３０の（ｂ）参照）、青色粒子が電気泳動によって移動して、下部電極から離れて上部電極の付近に集中して位置することによって、青色が主に表示される（図３０の（ａ）参照）。
【０１９８】
次いで、図３１を参照すれば、所定パターンの電場が印加されることによって（図３１の（ｂ）参照）、赤色粒子が電気泳動によって移動して、下部電極から離れて上部電極の付近に集中して位置することによって、赤色が主に表示される（図３１の（ａ）参照）。
【０１９９】
次いで、図３２を参照すれば、所定パターンの電場が印加されることによって（図３２の（ｂ）参照）、赤色粒子と青色粒子とがいずれも上部電極の付近に集中せず、下部電極の付近に集中して位置することによって、白色が主に表示される（図３２の（ａ）参照）。
【０２００】
図３３及び図３４は、本発明の一実施例によって互いに異なるカラーを有し、互いに異なる応答時間を有する２種の粒子が混合された状態で電場の印加時間を調節して多様なカラーを表示した例を示す図面である。
【０２０１】
図３３を参照すれば、バイオレット（Ｖｉｏｌｅｔ）カラー、白色カラー及びマゼンタカラーが、それぞれ互いに異なる格子に表示されることを確認し、図３４を参照すれば、バイオレットカラー、シアンカラー及びマゼンタカラーが、それぞれ互いに異なる格子に表示されることを確認することができる。
【０２０２】
図３５ないし図３８は、本発明の一実施例によって、それぞれ赤色（Ｒ）、黄色（Ｙ）及び青色（Ｂ）を有し、互いに異なる応答時間を有する３種の粒子が混合された状態で電場の印加時間を調節して多様なカラーを表示させた実験例を示す図面である。
【０２０３】
まず、図３５を参照すれば、所定パターンの電場が印加されることによって（図３５の（ｂ）参照）、赤色粒子、黄色粒子及び青色粒子がいずれも電気泳動によって移動して、下部電極から離れて上部電極の付近に集中して位置することによって、赤色、黄色及び青色が混合されて表示される（図３５の（ａ）参照）。
【０２０４】
次いで、図３６を参照すれば、所定パターンの電場が印加されることによって（図３６の（ｂ）参照）、黄色粒子及び青色粒子が電気泳動によって移動して、下部電極から離れて上部電極の付近に集中して位置することによって、黄色及び青色が主に表示される（図３６の（ａ）参照）。
【０２０５】
次いで、図３７を参照すれば、所定パターンの電場が印加されることによって（図３７の（ｂ）参照）、赤色粒子及び黄色粒子が電気泳動によって移動して、下部電極から離れて上部電極の付近に集中して位置することによって、赤色及び黄色が主に表示される（図３７の（ａ）参照）。
【０２０６】
次いで、図３８を参照すれば、所定パターンの電場が印加されることによって（図３８の（ｂ）参照）、赤色粒子、黄色粒子及び青色粒子がいずれも上部電極の付近に集中せず、下部電極の付近に集中して位置することによって、白色が主に表示される（図３８の（ａ）参照）。
【０２０７】
一方、本発明の一実施例によれば、互いに異なるカラーと互いに異なるスレショルド値または応答時間を有する粒子をそれぞれ含む複数のカプセルを製造するに当って、それぞれのカプセルのサイズを小さく製造することによって、複数のカプセルが均一に混合されるようにでき、これにより、表示装置の色再現性が向上する。
【０２０８】
一方、本発明の一実施例によれば、粒子を含むカプセルのサイズを調節することによって、当該カプセルに含まれる粒子のスレショルド値または応答時間を調節することができる。また、カプセルのサイズによってスレショルド値または応答時間が変わる場合には、サイズが互いに異なる各カプセルの混合比率を調節することによって、色再現性を向上させうる。
【０２０９】
一方、前述したように、本発明の一実施例によって電場強度または印加時間が調節されることによって、表示装置上に所定のカラーが表示されるが、このような場合、粒子が有する双安定性によって、電場が引き続き印加されないとしても、表示状態が一定時間の間に保持（すなわち、持続）されるメモリ効果が表われる。但し、時間が長く経過される場合には、表示状態が不安定になる点滅（Ｆｌｉｃｋｅｒ）現象が発生して、色再現性が落ちることができるが、このような点滅現象を防止するためには、粒子が有する双安定性によって表示状態が保持されるメモリ効果が完全に消える前に表示状態を更新するための更新（Ｒｅｆｒｅｓｈ）電場を印加する必要がある。
【０２１０】
本発明の一実施例によれば、最初に所定カラーの表示状態を具現するために要求される粒子移動量よりも、既に具現された表示状態を更新するために要求される粒子の移動量が相対的に小さいために、所定のカラーの表示状態を具現するために印加される駆動（Ｏｐｅｒａｔｉｎｇ）電場強度または印加時間と類似したレベルの強度または印加時間を有する更新電場を印加する場合、カプセル内の粒子の配列が過度に大きく変わることによって、表示されるカラーが意図したところと変わりうる。したがって、本発明の一実施例によれば、更新電場強度または印加時間は、駆動電場強度または印加時間よりも小さく設定しうる。
【０２１１】
図３９は、本発明の一実施例によって更新電場を印加する構成を例示的に示す図面である。
【０２１２】
図３９の（ａ）を参照すれば、強度がＶＯである駆動電場が印加されて表示状態が保持されている間に、強度がＶＯよりも小さなＶＲである更新電場が印加されることによって、粒子の位置または配列が所望の状態に更新されうる。図３９の（ｂ）を参照すれば、ＴＯの時間の間に駆動電場が印加されて表示状態が保持されている間に、ＴＯよりも短いＴＲの時間の間に更新電場が印加されることによって、粒子の位置または配列が所望の状態に更新されうる。
【０２１３】
図４０は、本発明の一実施例によって更新電場を印加した実験結果を例示的に示す図面である。
【０２１４】
図４０を参照すれば、１５Ｖ強度の駆動電場を印加して表示状態を具現した後に（図４０の（ａ）参照）、メモリ効果が保持される時間が経過された場合に、表示状態が不安定になって、色再現性が落ちることを確認し（図４０の（ｂ）参照）、３Ｖ強度の更新電場を印加して表示状態を更新した場合には、再び正常かつ安定した表示状態が具現されることを確認することができる（図４０の（ｃ）参照）。
【０２１５】
図６１及び図６２は、本発明の一実施例によって電場を印加する構成を例示的に示す図面である。
【０２１６】
図６１及び図６２を参照すれば、本発明の一実施例による反射型表示装置は、電極間に電場を発生させるための直流（ＤＣ）電圧が長時間印加されることによって、電極の特性が低下する現象（別名、劣化（Ｂｕｒｎｉｎｇ）現象）を防止するために、駆動電圧の印加前、またはパルス状の駆動電圧の印加中に、当該電極を、粒子の移動に影響を及ぼさない程度に短時間放電（ｄｉｓｃｈａｒｇｅ）させるか、当該電極に駆動電極と逆方向の電圧を印加することができる。
【０２１７】
具体的に、図６１を参照すれば、互いに異なる印加時間を有するパルス状の駆動電圧を順に印加するに当って（図６１の（ａ）参照）、パルス状の駆動電圧の間に電極を放電させるか（図６１の（ｂ）及び図６１の（ｃ）参照）、駆動電圧と逆方向の電圧を印加することができる（図６１の（ｄ）及び図６１の（ｅ）参照）。
【０２１８】
また、図６２を参照すれば、互いに異なる強度を有するパルス状の駆動電圧を順に印加するに当って（図６２の（ａ）参照）、パルス状の駆動電圧の印加時に区間の間に電極を放電させるか（図６２の（ｂ）及び図６２の（ｃ）参照）、駆動電圧と逆方向の電圧を印加することができる（図６２の（ｄ）及び図６２の（ｅ）参照）。
【０２１９】
３−１．本発明のさらに他の実施例による反射型表示装置
［反射型表示装置の構成］
図４１は、本発明のさらに他の実施例によって反射型表示装置の構成を例示的に示す図面である。
【０２２０】
図４１を参照すれば、本発明のさらに他の実施例による反射型表示装置４１００は、上部基板４１１０、下部基板４１２０、電極４１３０を含みうる。また、本発明のさらに他の実施例によれば、上部基板４１１０と下部基板４１２０との間には、ベース粒子４１４０とカラー粒子４１５０とが流体４１６０に分散された状態で含まれうる。ここで、ベース粒子４１４０、カラー粒子４１５０及び流体４１６０は、カプセル、隔壁、バンクなどからなる単位セル（図示せず）に含まれた状態であり得る。
【０２２１】
まず、本発明のさらに他の実施例によれば、電極４１３０は、上部基板４１１０または下部基板４１２０の一部領域にのみ形成されるように構成することができる。したがって、本発明のさらに他の実施例によれば、電極４１３０を通じて所定方向の電場が印加される場合に、ベース粒子４１４０及びカラー粒子４１５０が電極４１３０の周辺に集中することによって、反射型表示装置４１００に入射される光がそのまま透過されるか、カラー粒子４１５０が有するカラーが表示されなくなる。また、電極４１３０を通じて電場が印加されないか、逆方向の電場が印加される場合には、ベース粒子４１４０及びカラー粒子４１５０が上部基板４１１０と下部基板４１４０との間に不規則的に散在されることによって、ベース粒子４１４０によって透光度が低くなるか、カラー粒子４１５０が有するカラーが表示される。
【０２２２】
次いで、本発明のさらに他の実施例によれば、ベース粒子４１４０は、電荷を有し、透光度が既定値以下である粒子であって、電極４１３０を通じて印加される電場によって、電極４１３０に近い方向に、あるいは電極４１３０から遠い方向に移動し、反射型表示装置４１００に入射される光を遮断する機能を行える。したがって、後述するように、反射型表示装置４１００は、ベース粒子４１４０に対して印加される電場強度または印加時間を調節することによって、透光度を調節するか、カラーの明度を調節することができる。
【０２２３】
また、本発明のさらに他の実施例によれば、カラー粒子４１５０は、電荷を有し、固有のカラーを有する粒子であって、印加される電場によって移動し、反射型表示装置４１００から入射される光のうち、固有のカラーに該当する特定の波長の光を反射させる機能を行える。したがって、後述するように、反射型表示装置４１００は、カラー粒子４１５０に対して印加される電場強度または印加時間を調節することによって、多様なカラーを表示するか、表示されるカラーの彩度を調節することができる。
【０２２４】
本発明のさらに他の実施例によれば、ベース粒子４１４０とカラー粒子４１５０は、これらを駆動する（すなわち、移動させる、または電気泳動させる）のに必要な電場の最小強度（すなわち、スレショルド値）または最小印加時間（すなわち、応答時間）を互いに異ならせて設定しうる。
【０２２５】
具体的に、本発明のさらに他の実施例によれば、ベース粒子４１４０及びカラー粒子４１５０は、印加される電場強度がそれぞれのスレショルド値未満である場合には動かないか、移動程度が微小であり、一方、印加される電場強度がそれぞれのスレショルド値以上である場合にのみ反射型表示装置４１００の表示状態に変化を与える程度に大きく動くが、この際、ベース粒子４１４０及びカラー粒子４１５０のスレショルド値は、互いに異なって設定しうる。
【０２２６】
また、本発明のさらに他の実施例によれば、ベース粒子４１４０及びカラー粒子４１５０は、電場がそれぞれの応答時間未満の間に印加される場合には動かないか、移動程度が微小であり、一方、電場がそれぞれの応答時間以上印加される場合にのみ反射型表示装置４１００の表示状態に変化を与える程度に大きく動くが、この際、ベース粒子４１４０及びカラー粒子４１５０の応答時間は、互いに異なって設定しうる。
【０２２７】
本発明のさらに他の実施例によれば、ベース粒子４１４０またはカラー粒子４１５０のスレショルド値または応答時間を調節するための方法として、粒子の表面電荷、コーティング厚さ、ゼータ電位、誘電定数、比重、密度、サイズ、形状及び構造、粒子が分散された流体の誘電定数、粘度及び比重、粒子が分散された流体内に添加される添加剤、粒子及び流体に電場を印加する電極の電極パターン、電極間隔、電極サイズ及び電極材料、電極によって粒子に実質的に加えられる電場などを調節することができる。
【０２２８】
他の例を挙げれば、粒子または粒子が分散される流体が、電場によって誘電率が急激に増加または減少する強誘電体または反強誘電体物質を含ませうる。このような場合、粒子または流体の誘電率が急変する電場強度のスレショルド値が存在するので、これにより、粒子の移動や動きに決定的な影響を及ぼす電場強度のスレショルド値が存在し、結果的に、特定のスレショルド値で粒子を急激に動かせうる。
【０２２９】
図４２は、本発明のさらに他の実施例によって反射型表示装置に含まれたベース粒子とカラー粒子とを移動させるための電場強度のスレショルド値と印加時間（すなわち、応答時間）を例示的に示す図面である。
【０２３０】
図４２の（ａ）を参照すれば、ベース粒子４１４０及びカラー粒子４１５０の移動に必要な電場強度（すなわち、スレショルド値）は、それぞれＶ１及びＶ２であり得る。また、図４２の（ｂ）を参照すれば、ベース粒子４１４０及びカラー粒子４１５０の移動に必要な電場の印加時間（すなわち、応答時間）は、それぞれｔ１及びｔ２であり得る。
【０２３１】
［反射型表示装置の動作：スレショルド値を利用する構成］
図４３は、本発明のさらに他の実施例によって電場強度を調節してベース粒子を制御する構成を例示的に示す図面である。
【０２３２】
まず、図４３の（ａ）及び図４３の（ｂ）を参照すれば、負電荷を有するベース粒子４１４０が不規則的に散在されている状態（図４３の丸数字３の状態）で電極４１３０を通じてベース粒子４１４０に正の符号の電場を印加すれば、ベース粒子４１４０に対して電気的引力が作用して、ベース粒子４１４０を電極４１３０の周辺に集中して位置させ、これにより、反射型表示装置４１００の透光度を高めうる。具体的に、正の符号の電場強度が大きくなるほど、ベース粒子４１４０が電極４１３０側に次第に移動して、透光度が中間である状態になり（図４３の丸数字２の状態）、電場強度がベース粒子４１４０のスレショルド値（Ｖ１）以上になれば、ベース粒子４１４０が電極４１３０側に完全に移動しながら、電極４１３０の周辺に集中して位置して、透光度が高い状態になりうる（図４３の丸数字１の状態）。
【０２３３】
次いで、図４３の（ａ）及び図４３の（ｃ）を参照すれば、負電荷を有するベース粒子４１４０が電極の周辺に集中して位置している状態（図４３の丸数字１の状態）で電極４１３０を通じてベース粒子４１４０に負の符号の電場を印加すれば、ベース粒子４１４０に対して電気的斥力が作用して、ベース粒子４１４０が電極４１３０から遠くなって不規則的に散在させ、これにより、反射型表示装置４１００の透光度が低くなるようにできる。具体的に、負の符号の電場強度が大きくなるほど、ベース粒子４１４０が電極４１３０から遠ざかる方向に次第に移動して、透光度が中間である状態になり（図４３の丸数字２の状態）、電場強度がベース粒子４１４０のスレショルド値（Ｖ１）以上になれば、ベース粒子４１４０が不規則的に散在して、透光度が低い状態になりうる（図４３の丸数字３の状態）。
【０２３４】
図４４は、本発明のさらに他の実施例によって電場強度を調節してカラー粒子を制御する構成を例示的に示す図面である。
【０２３５】
まず、図４４の（ａ）及び図４４の（ｂ）を参照すれば、負電荷を有するカラー粒子４１５０が不規則的に散在されていて、カラー粒子４１５０のカラーが濃く表示される状態（図４４の丸囲み文字ｃの状態）で電極４１３０を通じてカラー粒子４１５０に正の符号の電場を印加すれば、カラー粒子４１５０に対して電気的引力が作用して、カラー粒子４１５０を電極４１３０の周辺に集中して位置させ、これにより、反射型表示装置４１００で表示されるカラー粒子４１５０のカラーの彩度が低くなるようにできる。具体的に、正の符号の電場強度が大きくなるほど、カラー粒子４１５０が電極４１３０側に次第に移動して、カラー粒子４１５０のカラーが薄く表示され（図４４の丸囲み文字ｂの状態）、電場強度がカラー粒子４１５０のスレショルド値（Ｖ２）以上になれば、カラー粒子４１５０が電極４１３０側に完全に移動しながら、電極４１３０の周辺に集中して位置して、カラー粒子４１５０のカラーがほぼ表示されなくなる（図４４の丸囲み文字ａの状態）。
【０２３６】
次いで、図４４の（ａ）及び図４４の（ｃ）を参照すれば、負電荷を有するカラー粒子４１５０が電極の周辺に集中して位置していて、カラー粒子４１５０のカラーがほぼ表示されない状態（図４４の丸囲み文字ａの状態）で電極４１３０を通じてカラー粒子４１５０に負の符号の電場を印加すれば、カラー粒子４１５０に対して電気的斥力が作用して、カラー粒子４１５０が電極４１３０から遠くなって不規則的に散在させ、これにより、反射型表示装置４１００で表示されるカラー粒子４１５０のカラーの彩度を高めうる。具体的に、負の符号の電場強度が大きくなるほど、カラー粒子４１５０が電極４１３０から遠ざかる方向に次第に移動して、カラー粒子４１５０のカラーが薄く表示され（図４４の丸囲み文字ｂの状態）、電場強度がカラー粒子４１５０のスレショルド値（Ｖ２）以上になれば、カラー粒子４１５０が不規則的に散在して、カラー粒子４１５０のカラーが濃く表示される（図４４の丸囲み文字ｃの状態）。
【０２３７】
図４５及び図４６は、本発明のさらに他の実施例によって反射型表示装置に多様なパターンの電場を印加する構成を例示的に示す図面である。
【０２３８】
図４５及び図４６で、いずれも負電荷を有するベース粒子４１４０及びカラー粒子４１５０の移動に必要な電場強度のスレショルド値は、それぞれＶ１及びＶ２であり得る（Ｖ１＜Ｖ２）。また、ベース粒子４１４０は、黒色を示し、カラー粒子４１５０は、赤色を示し、ベース粒子４１４０とカラー粒子４１５０は、透光性物質からなる流体４１６０に分散されている。本発明のさらに他の実施例によれば、反射型表示装置４１００のベース粒子４１４０及びカラー粒子４１５０に印加される電場のパターン（すなわち、方向及び強度）を多様に調節することによって、透光度を調節するか、カラー粒子４１５０のカラーの明度または彩度を調節させうる。
【０２３９】
まず、図４５及び図４６の（ａ）を参照すれば、ベース粒子４１４０及びカラー粒子４１５０に対してカラー粒子４１５０のスレショルド値であるＶ２以上の強度の電場を印加することによって、ベース粒子４１４０及びカラー粒子４１５０がいずれも電気泳動によって移動して、電極４１３０部分に集中して位置させうる。これにより、本発明のさらに他の実施例による反射型表示装置４１００は、透光度が高くなって相対的に透明な状態（すなわち、透光度が高い状態）になりうる。
【０２４０】
次いで、図４５及び図４６の（ｂ）を参照すれば、ベース粒子４１４０及びカラー粒子４１５０が、いずれも電極４１３０部分に集中して位置している状態で（すなわち、図４５及び図４６の（ａ）の状態で）、ベース粒子４１４０及びカラー粒子４１５０に対して、図４５及び図４６の（ａ）で印加された電場と逆方向の電場がベース粒子４１４０のスレショルド値（Ｖ１）よりも小さな強度で印加されれば、ベース粒子４１４０が電極４１３０から遠ざかる方向に少し移動することによって、反射型表示装置４１００の透光度が少し低くなって、中間である状態になりうる。
【０２４１】
次いで、図４５及び図４６の（ｃ）を参照すれば、ベース粒子４１４０及びカラー粒子４１５０が、いずれも電極４１３０部分に集中して位置している状態で（すなわち、図４５及び図４６の（ａ）の状態で）、ベース粒子４１４０及びカラー粒子４１５０に対して、図４５及び図４６の（ａ）で印加された電場と逆方向の電場がベース粒子４１４０のスレショルド値（Ｖ１）の強度で印加されれば、ベース粒子４１４０が不規則的に散在することによって、反射型表示装置４１００の透光度が低い状態になりうる。
【０２４２】
次いで、図４５及び図４６の（ｄ）を参照すれば、ベース粒子４１４０及びカラー粒子４１５０が、いずれも電極４１３０部分に集中して位置している状態で（すなわち、図４５及び図４６の（ａ）の状態で）、ベース粒子４１４０及びカラー粒子４１５０に対して、図４５及び図４６の（ａ）で印加された電場と逆方向の電場がカラー粒子４１５０のスレショルド値（Ｖ２）の強度で印加されれば、ベース粒子４１４０とカラー粒子４１５０が、いずれも不規則的に散在することによって、反射型表示装置４１００は、透光度が低い状態で濃い赤色（すなわち、明度が低く、彩度は高い赤色）を表示する。
【０２４３】
次いで、図４５及び図４６の（ｅ）を参照すれば、ベース粒子４１４０及びカラー粒子４１５０が、いずれも電極４１３０部分に集中して位置している状態で（すなわち、図４５及び図４６の（ａ）の状態で）、ベース粒子４１４０及びカラー粒子４１５０に対して、図４５及び図４６の（ａ）で印加された電場と逆方向の電場がベース粒子４１４０のスレショルド値（Ｖ１）とカラー粒子４１５０のスレショルド値（Ｖ２）との間の強度で印加された後で、図４５及び図４６の（ａ）で印加された電場と同じ方向の電場がベース粒子４１４０のスレショルド値（Ｖ１）の強度で印加されれば、ベース粒子４１４０は、電極４１３０の周辺に集中して位置するが、一方、カラー粒子４１５０は、電極４１３０から遠ざかる方向に少し移動することによって、反射型表示装置４１００は、透光度が高い状態で薄い赤色（明度が高く、彩度は低い赤色）を表示する。
【０２４４】
次いで、図４５及び図４６の（ｆ）を参照すれば、ベース粒子４１４０及びカラー粒子４１５０が、いずれも電極４１３０部分に集中して位置している状態で（すなわち、図４５及び図４６の（ａ）の状態で）、ベース粒子４１４０及びカラー粒子４１５０に対して、図４５及び図４６の（ａ）で印加された電場と逆方向の電場がカラー粒子４１５０のスレショルド値（Ｖ２）の強度で印加された後で、図４５及び図４６の（ａ）で印加された電場と同じ方向の電場がベース粒子４１４０のスレショルド値（Ｖ１）の強度で印加されれば、ベース粒子４１４０は、電極４１３０の周辺に集中して位置するが、一方、カラー粒子４１５０は、不規則的に散在することによって、反射型表示装置４１００は、透光度が高い状態で濃い赤色（明度と彩度とがいずれも高い赤色）を表示する。
【０２４５】
次いで、図４５及び図４６の（ｇ）を参照すれば、ベース粒子４１４０及びカラー粒子４１５０が、いずれも電極４１３０部分に集中して位置している状態で（すなわち、図４５及び図４６の（ａ）状態で）、ベース粒子４１４０及びカラー粒子４１５０に対して、図４５及び図４６の（ａ）で印加された電場と逆方向の電場がカラー粒子４１５０のスレショルド値（Ｖ２）の強度で印加された後で、図４５及び図４６の（ａ）で印加された電場と同じ方向の電場がベース粒子４１４０のスレショルド値（Ｖ１）よりも小さな強度で印加されれば、カラー粒子４１５０は、不規則的に散在されるが、一方、ベース粒子４１４０は、電極４１３０から遠ざかる方向に少し移動することによって、反射型表示装置４１００は、透光度が中間である状態で濃い赤色（明度が中間であり、彩度が高い赤色）を表示する。
【０２４６】
次いで、図４５及び図４６の（ｈ）を参照すれば、ベース粒子４１４０及びカラー粒子４１５０が、いずれも電極４１３０部分に集中して位置している状態で（すなわち、図４５及び図４６の（ａ）状態で）、ベース粒子４１４０及びカラー粒子４１５０に対して、図４５及び図４６の（ａ）で印加された電場と逆方向の電場がベース粒子４１４０のスレショルド値（Ｖ１）の強度で印加された後で、図４５及び図４６の（ａ）で印加された電場と同じ方向の電場がベース粒子４１４０のスレショルド値（Ｖ１）よりも小さな強度で印加されれば、ベース粒子４１４０とカラー粒子４１５０が、いずれも電極４１３０から遠ざかる方向に少し移動することによって、反射型表示装置４１００は、透光度が中間である状態で薄い赤色（明度が中間であり、彩度が低い赤色）を表示する。
【０２４７】
［反射型表示装置の動作：応答時間を利用する構成］
図４７は、本発明のさらに他の実施例によって電場の印加時間を調節してベース粒子を制御する構成を例示的に示す図面である。
【０２４８】
まず、図４７の（ａ）及び図４７の（ｂ）を参照すれば、負電荷を有するベース粒子４１４０が不規則的に散在されている状態（図４７の丸数字３の状態）で電極４１３０を通じてベース粒子４１４０に正の符号の電場を印加すれば、ベース粒子４１４０に対して電気的引力が作用して、ベース粒子４１４０を電極４１３０の周辺に集中して位置させ、これにより、反射型表示装置４１００の透光度を高めうる。具体的に、正の符号の電場の印加時間が長くなるほど、ベース粒子４１４０が電極４１３０側に次第に移動して、透光度が中間である状態になり（図４７の丸数字２の状態）、電場の印加時間がベース粒子４１４０の応答時間（ｔ１）以上になれば、ベース粒子４１４０が電極４１３０側に完全に移動しながら、電極４１３０の周辺に集中して位置して、透光度が高い状態になりうる（図４７の丸数字１の状態）。
【０２４９】
次いで、図４７の（ａ）及び図４７の（ｃ）を参照すれば、負電荷を有するベース粒子４１４０が電極の周辺に集中して位置している状態（図４７の丸数字１の状態）で電極４１３０を通じてベース粒子４１４０に負の符号の電場を印加すれば、ベース粒子４１４０に対して電気的斥力が作用して、ベース粒子４１４０が電極４１３０から遠くなって不規則的に散在させ、これにより、反射型表示装置４１００の透光度が低くなるようにできる。具体的に、負の符号の電場の印加時間が長くなるほど、ベース粒子４１４０が電極４１３０から遠ざかる方向に次第に移動して、透光度が中間である状態になり（図４７の丸数字２の状態）、電場の印加時間がベース粒子４１４０の応答時間（ｔ１）以上になれば、ベース粒子４１４０が不規則的に散在して、透光度が低い状態になりうる（図４７の丸数字３の状態）。
【０２５０】
図４８は、本発明のさらに他の実施例によって電場の印加時間を調節してカラー粒子を制御する構成を例示的に示す図面である。
【０２５１】
まず、図４８の（ａ）及び図４８の（ｂ）を参照すれば、負電荷を有するカラー粒子４１５０が不規則的に散在されていて、カラー粒子４１５０のカラーが濃く表示される状態（図４８の丸囲み文字ｃの状態）で電極４１３０を通じてカラー粒子４１５０に正の符号の電場を印加すれば、カラー粒子４１５０に対して電気的引力が作用して、カラー粒子４１５０を電極４１３０の周辺に集中して位置させ、これにより、反射型表示装置４１００で表示されるカラー粒子４１５０のカラーの彩度が低くなるようにできる。具体的に、正の符号の電場の印加時間が長くなるほど、カラー粒子４１５０が電極４１３０側に次第に移動して、カラー粒子４１５０のカラーが薄く表示され（図４８の丸囲み文字ｂの状態）、電場の印加時間がカラー粒子４１５０の応答時間（ｔ２）以上になれば、カラー粒子４１５０が電極４１３０側に完全に移動しながら、電極４１３０の周辺に集中して位置して、カラー粒子４１５０のカラーがほぼ表示されなくなる（図４８の丸囲み文字ａの状態）。
【０２５２】
次いで、図４８の（ａ）及び図４８の（ｃ）を参照すれば、負電荷を有するカラー粒子４１５０が電極の周辺に集中して位置していて、カラー粒子４１５０のカラーがほぼ表示されない状態（図４８の丸囲み文字ａの状態）で電極４１３０を通じてカラー粒子４１５０に負の符号の電場を印加すれば、カラー粒子４１５０に対して電気的斥力が作用して、カラー粒子４１５０が電極４１３０から遠くなって不規則的に散在させ、これにより、反射型表示装置４１００で表示されるカラー粒子４１５０のカラーの彩度を高めうる。具体的に、負の符号の電場の印加時間が長くなるほど、カラー粒子４１５０が電極４１３０から遠ざかる方向に次第に移動して、カラー粒子４１５０のカラーが薄く表示され（図４８の丸囲み文字ｂの状態）、電場の印加時間がカラー粒子４１５０の応答時間（ｔ２）以上になれば、カラー粒子４１５０が不規則的に散在して、カラー粒子４１５０のカラーが濃く表示される（図４８の丸囲み文字ｃの状態）。
【０２５３】
図４９及び図５０は、本発明のさらに他の実施例によって反射型表示装置に多様なパターンの電場を印加する構成を例示的に示す図面である。
【０２５４】
図４９及び図５０で、いずれも負電荷を有するベース粒子４１４０及びカラー粒子４１５０の移動に必要な電場の印加時間（すなわち、応答時間）は、それぞれｔ１及びｔ２であり得る（ｔ１＜ｔ２）。また、ベース粒子４１４０は、黒色を示し、カラー粒子４１５０は、赤色を示し、ベース粒子４１４０とカラー粒子４１５０は、透光性物質からなる流体４１６０に分散されている。本発明のさらに他の実施例によれば、反射型表示装置４１００のベース粒子４１４０及びカラー粒子４１５０に印加される電場のパターン（すなわち、方向及び印加時間）を多様に調節することによって、透光度を調節するか、カラー粒子４１５０のカラーの明度または彩度を調節させうる。
【０２５５】
まず、図４９及び図５０の（ａ）を参照すれば、ベース粒子４１４０及びカラー粒子４１５０に対してカラー粒子４１５０の応答時間であるｔ２以上の時間の間に電場を印加することによって、ベース粒子４１４０及びカラー粒子４１５０がいずれも電気泳動によって移動して、電極４１３０部分に集中して位置させうる。これにより、本発明のさらに他の実施例による反射型表示装置４１００は、透光度が高くなって相対的に透明な状態（すなわち、透光度が高い状態）になりうる。
【０２５６】
次いで、図４９及び図５０の（ｂ）を参照すれば、ベース粒子４１４０及びカラー粒子４１５０が、いずれも電極４１３０部分に集中して位置している状態で（すなわち、図４９及び図５０の（ａ）の状態で）、ベース粒子４１４０及びカラー粒子４１５０に対して、図４９及び図５０の（ａ）で印加された電場と逆方向の電場がベース粒子４１４０の応答時間（ｔ１）よりも短時間の間に印加されれば、ベース粒子４１４０が電極４１３０から遠ざかる方向に少し移動することによって、反射型表示装置４１００の透光度が少し低くなって中間である状態になりうる。
【０２５７】
次いで、図４９及び図５０の（ｃ）を参照すれば、ベース粒子４１４０及びカラー粒子４１５０が、いずれも電極４１３０部分に集中して位置している状態で（すなわち、図４９及び図５０の（ａ）の状態で）、ベース粒子４１４０及びカラー粒子４１５０に対して、図４９及び図５０の（ａ）で印加された電場と逆方向の電場がベース粒子４１４０の応答時間（ｔ１）に該当する時間の間に印加されれば、ベース粒子４１４０が不規則的に散在することによって、反射型表示装置４１００の透光度が低い状態になりうる。
【０２５８】
次いで、図４９及び図５０の（ｄ）を参照すれば、ベース粒子４１４０及びカラー粒子４１５０が、いずれも電極４１３０部分に集中して位置している状態で（すなわち、図４９及び図５０の（ａ）の状態で）、ベース粒子４１４０及びカラー粒子４１５０に対して、図４９及び図５０の（ａ）で印加された電場と逆方向の電場がカラー粒子４１５０の応答時間（ｔ２）に該当する時間の間に印加されれば、ベース粒子４１４０とカラー粒子４１５０が、いずれも不規則的に散在することによって、反射型表示装置４１００は、透光度が低い状態で濃い赤色（すなわち、明度が低く、彩度は高い赤色）を表示する。
【０２５９】
次いで、図４９及び図５０の（ｅ）を参照すれば、ベース粒子４１４０及びカラー粒子４１５０が、いずれも電極４１３０部分に集中して位置している状態で（すなわち、図４９及び図５０の（ａ）の状態で）、ベース粒子４１４０及びカラー粒子４１５０に対して、図４９及び図５０の（ａ）で印加された電場と逆方向の電場がベース粒子４１４０の応答時間（ｔ１）とカラー粒子４１５０の応答時間（ｔ２）との間の時間の間に印加された後で、図４９及び図５０の（ａ）で印加された電場と同じ方向の電場がベース粒子４１４０の応答時間（ｔ１）に該当する時間の間に印加されれば、ベース粒子４１４０は、電極４１３０の周辺に集中して位置するが、一方、カラー粒子４１５０は、電極４１３０から遠ざかる方向に少し移動することによって、反射型表示装置４１００は、透光度が高い状態で薄い赤色（明度が高く、彩度は低い赤色）を表示する。
【０２６０】
次いで、図４９及び図５０の（ｆ）を参照すれば、ベース粒子４１４０及びカラー粒子４１５０が、いずれも電極４１３０部分に集中して位置している状態で（すなわち、図４９及び図５０の（ａ）の状態で）、ベース粒子４１４０及びカラー粒子４１５０に対して、図４９及び図５０の（ａ）で印加された電場と逆方向の電場がカラー粒子４１５０の応答時間（ｔ２）に該当する時間の間に印加された後で、図４９及び図５０の（ａ）で印加された電場と同じ方向の電場がベース粒子４１４０の応答時間（ｔ１）に該当する時間の間に印加されれば、ベース粒子４１４０は、電極４１３０の周辺に集中して位置するが、一方、カラー粒子４１５０は、不規則的に散在することによって、反射型表示装置４１００は、透光度が高い状態で濃い赤色（明度と彩度とがいずれも高い赤色）を表示する。
【０２６１】
次いで、図４９及び図５０の（ｇ）を参照すれば、ベース粒子４１４０及びカラー粒子４１５０が、いずれも電極４１３０部分に集中して位置している状態で（すなわち、図４９及び図５０の（ａ）状態で）、ベース粒子４１４０及びカラー粒子４１５０に対して、図４９及び図５０の（ａ）で印加された電場と逆方向の電場がカラー粒子４１５０の応答時間（ｔ２）に該当する時間の間に印加された後で、図４９及び図５０の（ａ）で印加された電場と同じ方向の電場がベース粒子４１４０の応答時間（ｔ１）よりも短時間の間に印加されれば、カラー粒子４１５０は、不規則的に散在されるが、一方、ベース粒子４１４０は、電極４１３０から遠ざかる方向に少し移動することによって、反射型表示装置４１００は、透光度が中間である状態で濃い赤色（明度が中間であり、彩度が高い赤色）を表示する。
【０２６２】
次いで、図４９及び図５０の（ｈ）を参照すれば、ベース粒子４１４０及びカラー粒子４１５０が、いずれも電極４１３０部分に集中して位置している状態で（すなわち、図４９及び図５０の（ａ）状態で）、ベース粒子４１４０及びカラー粒子４１５０に対して、図４９及び図５０の（ａ）で印加された電場と逆方向の電場がベース粒子４１４０の応答時間（ｔ１）に該当する時間の間に印加された後で、図４９及び図５０の（ａ）で印加された電場と同じ方向の電場がベース粒子４１４０の応答時間（ｔ１）よりも短時間の間に印加されれば、ベース粒子４１４０とカラー粒子４１５０が、いずれも電極４１３０から遠ざかる方向に少し移動することによって、反射型表示装置４１００は、透光度が中間である状態で薄い赤色（明度が中間であり、彩度が低い赤色）を表示する。
【０２６３】
以上、１種のベース粒子と１種のカラー粒子とが混合された実施例について主に説明されているが、本発明の構成が、必ずしも前記列挙された実施例にのみ限定されるものではなく、本発明の構成が、互いにスレショルド値または応答時間を異ならせる複数の種類のベース粒子と複数の種類のカラー粒子とが混合される実施例に対しても、同様に適用可能であるということを明らかにする。
【０２６４】
また、以上、粒子のスレショルド値を利用する構成と粒子の応答時間を利用する構成のそれぞれに対する実施例について主に説明されているが、本発明の構成が、必ずしも前記列挙された実施例にのみ限定されるものではなく、スレショルド値と応答時間がいずれも異なるベース粒子とカラー粒子とに対して印加される電場強度及び印加時間をいずれも調節することによって、粒子のスレショルド値と応答時間をいずれも用いて反射型表示装置の透光度と反射型表示装置が表示するカラーの明度または彩度を調節する実施例も、十分に想定可能であるということを明らかにする。
【０２６５】
［実験例］
図５１は、本発明のさらに他の実施例によって反射型表示装置の透光度を調節する実験を行った結果を例示的に示す図面である。
【０２６６】
図５１の実験で、流体４１６０内に分散されて不規則的に散在されているベース粒子４１４０に対して電極４１３０を通じて強度が０Ｖ〜１５Ｖである電場を印加し、その結果を観察した。図５１を参照すれば、強度が０Ｖから３Ｖの間である電場が印加される場合には、ベース粒子４１４０の状態に変化がほとんどなく、これにより、光透過も、やはり約１０％の低いレベルで保持されることを確認し、一方、強度が３Ｖ以上である電場（すなわち、ベース粒子４１４０のスレショルド値以上の強度の電場）が印加される場合には、ベース粒子４１４０が移動して、電極４１３０の付近に集中して位置することによって、透光度が約５５％まで急増することを確認することができる。
【０２６７】
［反射型表示装置の双安定性］
本発明のさらに他の実施例によれば、粒子（ベース粒子４１４０またはカラー粒子４１５０）の移動を制御する役割を行う電場が遮断された以後にも、粒子４１４０、４１５０の状態が電場によって制御された状態で保持させうる。すなわち、本発明のさらに他の実施例によれば、流体４１６０内での粒子４１４０、４１５０の移動抵抗を調節して流体４１６０内での粒子４１４０、４１５０の移動を制限することによって、電場が遮断された後にも、反射型表示装置４１００の表示状態を持続的に保持させうる（双安定性（Ｂｉｓｔａｂｉｌｉｔｙ）またはメモリ効果）。
【０２６８】
具体的に、本発明のさらに他の実施例によれば、粒子４１４０、４１５０が分散されている流体４１６０に粒子４１４０、４１５０表面の立体障害効果を誘発することができる添加剤を添加し、このように添加される添加剤の分子量または官能基を調節することができる。また、本発明のさらに他の実施例によれば、粒子４１４０、４１５０のコーティング厚さを調節することによって、双安定性またはメモリ効果を具現させうる。また、本発明のさらに他の実施例によれば、粒子４１４０、４１５０が分散された流体４１６０の粘度を調節して流体４１６０内での粒子４１４０、４１５０の移動抵抗を調節し、これにより、双安定性またはメモリ効果を具現させうる。
【０２６９】
本発明による反射型表示装置４１００の双安定性またはメモリ効果についてのより具体的な説明に関連しては、本出願人が２０１１年７月１８日付で出願し、２０１２年８月３０日付で登録された韓国登録特許第１１８０１１８号の明細書を参照する。このような主旨で韓国登録特許第１１８０１１８号の明細書は、その全体として本明細書に併合されたものと理解しなければならない。
【０２７０】
３−２．本発明のさらに他の実施例による反射型表示装置
［反射型表示装置の構成］
図５２ないし図５６は、本発明のさらに他の実施例によって反射型表示装置の構成を例示的に示す図面である。
【０２７１】
図５２ないし図５６を参照すれば、本発明のさらに他の実施例による反射型表示装置５２００は、上部基板５２１０、下部基板５２２０、上部電極５２３０及び下部電極５２４０を含みうる。また、本発明のさらに他の実施例によれば、上部電極５２３０と下部電極５２４０との間には、電荷を有し、互いに異なるカラーを有する第１粒子５２５０及び第２粒子５２６０が、流体５２７０に分散された状態で含まれうる。ここで、第１粒子５２５０、第２粒子５２６０及び流体５２７０は、カプセル、隔壁、バンクなどからなる単位セル（図示せず）に含まれた状態であり得る。
【０２７２】
また、本発明のさらに他の実施例によれば、上部基板５２１０、下部基板５２２０、上部電極５２３０、下部電極５２４０、第１粒子５２５０、第２粒子５２６０及び流体５２７０のうち少なくとも１つは、固有のカラーを有するか、透光性物質からなり、上部基板５２１０、下部基板５２２０、上部電極５２３０、下部電極５２４０、第１粒子５２５０、第２粒子５２６０及び流体５２７０が有するカラーは、互いに異なって設定しうる。
【０２７３】
また、本発明のさらに他の実施例によれば、第１粒子５２５０と第２粒子５２６０は、互いに同じ符号の電荷を有するか、互いに異なる符号の電荷を有しうる。したがって、後述するように、反射型表示装置５２００は、第１粒子５２５０及び第２粒子５２６０に対して印加される電場強度または印加時間を調節することによって、多様なカラーを表示するか、表示されるカラーの彩度を調節することができる。
【０２７４】
本発明のさらに他の実施例によれば、第１粒子５２５０と第２粒子５２６０は、これらを駆動する（すなわち、移動させる、または電気泳動させる）のに必要な電場の最小強度（すなわち、スレショルド値）または最小印加時間（すなわち、応答時間）を互いに異ならせて設定しうる。
【０２７５】
具体的に、本発明のさらに他の実施例によれば、第１粒子５２５０及び第２粒子５２６０は、印加される電場強度がそれぞれのスレショルド値未満の場合には動かないか、移動程度が微小であり、一方、印加される電場強度がそれぞれのスレショルド値以上である場合にのみ反射型表示装置５２００の表示状態に変化を与える程度に大きく動くが、この際、第１粒子５２５０及び第２粒子５２６０のスレショルド値は、互いに異なって設定しうる。
【０２７６】
また、本発明のさらに他の実施例によれば、第１粒子５２５０及び第２粒子５２６０は、電場がそれぞれの応答時間未満の間に印加される場合には動かないか、移動程度が微小であり、一方、電場がそれぞれの応答時間以上印加される場合にのみ反射型表示装置５２００の表示状態に変化を与える程度に大きく動くが、この際、第１粒子５２５０及び第２粒子５２６０の応答時間は、互いに異なって設定しうる。
【０２７７】
本発明のさらに他の実施例によれば、第１粒子５２５０または第２粒子５２６０のスレショルド値または応答時間を調節するための方法として、粒子の表面電荷、コーティング厚さ、ゼータ電位、誘電定数、比重、密度、サイズ、形状及び構造、粒子が分散された流体の誘電定数、粘度及び比重、粒子が分散された流体内に添加される添加剤、粒子及び流体に電場を印加する電極の電極パターン、電極間隔、電極サイズ及び電極材料、電極によって粒子に実質的に加えられる電場などを調節することができる。
【０２７８】
他の例を挙げれば、粒子または粒子が分散される流体が、電場によって誘電率が急激に増加または減少する強誘電体または反強誘電体物質を含ませうる。このような場合、粒子または流体の誘電率が急変する電場強度のスレショルド値が存在するので、これにより、粒子の移動や動きに決定的な影響を及ぼす電場強度のスレショルド値が存在し、結果的に、特定のスレショルド値で粒子を急激に動かせうる。
【０２７９】
一方、図５７は、本発明のさらに他の実施例によって反射型表示装置に含まれた第１粒子と第２粒子とを移動させるための電場強度のスレショルド値と印加時間（すなわち、応答時間）を例示的に示す図面である。
【０２８０】
図５７の（ａ）を参照すれば、第１粒子５２５０及び第２粒子５２６０の移動に必要な電場強度（すなわち、スレショルド値）は、それぞれＶ１及びＶ２であり得る。また、図５７の（ｂ）を参照すれば、第１粒子５２５０及び第２粒子５２６０の移動に必要な電場の印加時間（すなわち、応答時間）は、それぞれｔ１及びｔ２であり得る。
【０２８１】
具体的に、図５２を参照すれば、下部電極５２４０（または、上部電極５２３０）は、表示面の一部領域にのみ形成されるように構成することができる。したがって、本発明のさらに他の実施例によれば、表示面の一部領域のみカバーするように形成された下部電極５２４０を通じて所定方向の電場が印加される場合に、第１粒子５２５０または第２粒子５２６０が下部電極５２４０の周辺に集中することによって、反射型表示装置５２００に入射される光がそのまま透過されるか、流体５２７０または下部基板５２２０が有するカラーが表示される。また、上部電極５２３０または下部電極５２４０を通じて電場が印加されないか、逆方向の電場が印加される場合には、第１粒子５２５０または第２粒子５２６０が上部電極５２３０の周辺に集中することによって、第１粒子５２５０または第２粒子５２６０が有するカラーが表示される。
【０２８２】
次いで、図５３を参照すれば、上部電極５２３０及び下部電極５２４０は、それぞれ表示面の全体領域をカバーするように形成されうる。したがって、本発明のさらに他の実施例によれば、表示面の全体領域にわたって形成された上部電極５２３０または下部電極５２４０を通じて所定方向の電場が印加される場合に、第１粒子５２５０または第２粒子５２６０が下部電極５２４０の周辺に集中することによって、流体５２７０または下部基板５２２０が有するカラーが表示される。また、上部電極５２３０または下部電極５２４０を通じて逆方向の電場が印加される場合には、第１粒子５２５０または第２粒子５２６０が上部電極５２３０の周辺に集中することによって、第１粒子５２５０または第２粒子５２６０が有するカラーが表示される。
【０２８３】
次いで、図５４を参照すれば、下部電極５２４０（または、上部電極５２３０）は、それぞれ表示面の一部領域のみをカバーするように形成される複数の部分電極５２４１、５２４２で構成することができる。したがって、本発明のさらに他の実施例によれば、上部電極５２３０と表示面の一部領域のみカバーするように形成された２つの部分電極５２４１、５２４２で構成された下部電極５２４０を通じて所定方向の電場が印加される場合に、第１粒子５２５０または第２粒子５２６０が下部電極５２４１、５２４２の周辺に集中することによって、反射型表示装置５２００に入射される光がそのまま透過されるか、流体５２７０または下部基板５２２０が有するカラーが表示される。また、上部電極５２３０または下部電極５２４０を通じて電場が印加されないか、逆方向の電場が印加される場合には、第１粒子５２５０または第２粒子５２６０が上部電極５２３０の周辺に集中することによって、第１粒子５２５０または第２粒子５２６０が有するカラーが表示される。
【０２８４】
次いで、図５５を参照すれば、本発明のさらに他の実施例による反射型表示装置５２００は、上部電極５２３０を含まず、表示面の一部領域のみをカバーするように形成される複数の部分電極５２４１、５２４２で構成される下部電極５２４０のみを含み、下部電極５２４０を構成する複数の部分電極５２４１、５２４２の間に電場が印加されうる。したがって、本発明のさらに他の実施例によれば、第１部分電極５２４１と第２部分電極５２４２とを通じて第１部分電極５２４１と第２部分電極５２４２との間に所定方向の電場が印加される場合に、第１粒子５２５０または第２粒子５２６０が第１部分電極５２４１または第２部分電極５２４２の周辺に集中することによって、反射型表示装置５２００に入射される光がそのまま透過されるか、流体５２７０または下部基板５２２０が有するカラーが表示される。また、第１部分電極５２４１と第２部分電極５２４２との間に電場が印加されないか、逆方向の電場が印加される場合には、第１粒子５２５０または第２粒子５２６０が上部基板５２１０の周辺に集中することによって、第１粒子５２５０または第２粒子５２６０が有するカラーが表示される。
【０２８５】
次いで、図５６を参照すれば、本発明のさらに他の実施例による反射型表示装置５２００は、上部電極５２３０を含まず、表示面の一部領域のみをカバーするように形成される複数の部分電極５２４１、５２４２、５２４３で構成される下部電極５２４０のみを含み、下部電極５２４０を構成する複数の部分電極５２４１、５２４２、５２４３の間に電場が印加されうる。したがって、本発明のさらに他の実施例によれば、第１部分電極５２４１、第２部分電極５２４２及び第３部分電極５２４３を通じて第１部分電極５２４１及び第２部分電極５２４２と第３部分電極５２４３との間に所定方向の電場が印加される場合に、第１粒子５２５０または第２粒子５２６０が第１部分電極５２４１及び第２部分電極５２４２の周辺に集中するか、第３部分電極５２４３の周辺に集中することによって、反射型表示装置５２００に入射される光がそのまま透過されるか、流体５２７０または下部基板５２２０が有するカラーが表示される。また、第１部分電極５２４１及び第２部分電極５２４２と第３部分電極５２４３との間に電場が印加されないか、逆方向の電場が印加される場合には、第１粒子５２５０または第２粒子５２６０が上部基板５２１０の周辺に集中することによって、第１粒子５２５０または第２粒子５２６０が有するカラーが表示される。
【０２８６】
［反射型表示装置の動作］
図５８は、本発明のさらに他の実施例によって電場強度または印加時間を調節して反射型表示装置の表示状態を制御する構成を例示的に示す図面である。
【０２８７】
図５８の実施例で、第１粒子５２５０と第２粒子５２６０は、いずれも正電荷を有し、第２粒子５２６０のスレショルド値が、第１粒子５２５０のスレショルド値よりも大きな場合を仮定することができる。
【０２８８】
このような場合、まず、図５８の（ａ）を参照すれば、第１粒子５２５０及び第２粒子５２６０が、いずれも下部電極５２４０の周辺に集中している状態で、第１粒子５２５０及び第２粒子５２６０に対して第１粒子５２５０のスレショルド値よりも大きく、第２粒子５２６０のスレショルド値よりは小さな強度の電場を上部電極５２３０の電位が下部電極５２４０の電位よりも低い方向に印加すれば、第１粒子５２５０のみ電気泳動によって移動して、上部電極５２３０部分に集中して位置させ、第２粒子５２６０は移動せず、下部電極５２４０部分に集中して位置させうる。これにより、本発明のさらに他の実施例による反射型表示装置５２００では、第１粒子５２５０が有する固有のカラーが表示される。
【０２８９】
次いで、図５８の（ｂ）を参照すれば、図５８の（ａ）の状態で、第１粒子５２５０及び第２粒子５２６０に対して第１粒子５２５０のスレショルド値よりも大きく、第２粒子５２６０のスレショルド値よりは小さな強度の電場を上部電極５２３０の電位が下部電極５２４０の電位よりも高い方向に印加すれば、第１粒子５２５０のみ電気泳動によって移動して、下部電極５２４０部分に集中して位置させ、第２粒子５２６０は移動せず、下部電極５２４０部分に集中して位置させうる。これにより、本発明のさらに他の実施例による反射型表示装置５２００では、流体５２７０が有する固有のカラーが表示されるか、透光度が高くなる。
【０２９０】
次いで、図５８の（ｃ）を参照すれば、図５８の（ｂ）の状態で、第１粒子５２５０及び第２粒子５２６０に対して第２粒子５２６０のスレショルド値よりも大きな強度の電場を上部電極５２３０の電位が下部電極５２４０の電位よりも低い方向に印加すれば、第１粒子５２５０及び第２粒子５２６０がいずれも電気泳動によって移動して、上部電極５２３０部分に集中して位置させうる。これにより、本発明のさらに他の実施例による反射型表示装置５２００では、第１粒子５２５０が有する固有のカラーと第２粒子５２６０が有する固有のカラーとが混合されて表示される。
【０２９１】
次いで、図５８の（ｄ）を参照すれば、図５８の（ｃ）の状態で、第１粒子５２５０及び第２粒子５２６０に対して第１粒子５２５０のスレショルド値よりも大きく、第２粒子５２６０のスレショルド値よりは小さな強度の電場を上部電極５２３０の電位が下部電極５２４０の電位よりも高い方向に印加すれば、第１粒子５２５０のみ電気泳動によって移動して、下部電極５２４０部分に集中して位置させ、第２粒子５２６０は移動せず、そのまま上部電極５２３０部分に集中して位置させうる。これにより、本発明のさらに他の実施例による反射型表示装置５２００では、第２粒子５２６０が有する固有のカラーが表示される。
【０２９２】
一方、図５８の実施例で、第１粒子５２５０と第２粒子５２６０は、いずれも正電荷を有し、第２粒子５２６０の応答時間が、第１粒子５２５０の応答時間よりも長い場合を仮定することもできる。
【０２９３】
このような場合、まず、図５８の（ａ）を参照すれば、第１粒子５２５０及び第２粒子５２６０が、いずれも下部電極５２４０の周辺に集中している状態で、第１粒子５２５０及び第２粒子５２６０に対して第１粒子５２５０の応答時間よりも長く、第２粒子５２６０の応答時間よりは短時間の間に上部電極５２３０の電位が下部電極５２４０の電位よりも低い方向に電場を印加すれば、第１粒子５２５０のみ電気泳動によって移動して、上部電極５２３０部分に集中して位置させ、第２粒子５２６０は移動せず、下部電極５２４０部分に集中して位置させうる。これにより、本発明のさらに他の実施例による反射型表示装置５２００では、第１粒子５２５０が有する固有のカラーが表示される。
【０２９４】
次いで、図５８の（ｂ）を参照すれば、図５８の（ａ）の状態で、第１粒子５２５０及び第２粒子５２６０に対して第１粒子５２５０の応答時間よりも長く、第２粒子５２６０の応答時間よりは短時間の間に上部電極５２３０の電位が下部電極５２４０の電位よりも高い方向に電場を印加すれば、第１粒子５２５０のみ電気泳動によって移動して、下部電極５２４０部分に集中して位置させ、第２粒子５２６０は移動せず、下部電極５２４０部分に集中して位置させうる。これにより、本発明のさらに他の実施例による反射型表示装置５２００では、流体５２７０が有する固有のカラーが表示されるか、透光度が高くなる。
【０２９５】
次いで、図５８の（ｃ）を参照すれば、図５８の（ｂ）の状態で、第１粒子５２５０及び第２粒子５２６０に対して第２粒子５２６０の応答時間よりも長時間の間に上部電極５２３０の電位が下部電極５２４０の電位よりも低い方向に電場を印加すれば、第１粒子５２５０及び第２粒子５２６０がいずれも電気泳動によって移動して、上部電極５２３０部分に集中して位置させうる。これにより、本発明のさらに他の実施例による反射型表示装置５２００では、第１粒子５２５０が有する固有のカラーと第２粒子５２６０が有する固有のカラーとが混合されて表示される。
【０２９６】
次いで、図５８の（ｄ）を参照すれば、図５８の（ｃ）の状態で、第１粒子５２５０及び第２粒子５２６０に対して第１粒子５２５０の応答時間よりも長く、第２粒子５２６０の応答時間よりは短時間の間に上部電極５２３０の電位が下部電極５２４０の電位よりも高い方向に電場を印加すれば、第１粒子５２５０のみ電気泳動によって移動して、下部電極５２４０部分に集中して位置させ、第２粒子５２６０は移動せず、そのまま上部電極５２３０部分に集中して位置させうる。これにより、本発明のさらに他の実施例による反射型表示装置５２００では、第２粒子５２６０が有する固有のカラーが表示される。
【０２９７】
図５９は、本発明のさらに他の実施例によって、上部電極と、第１部分電極及び第２部分電極からなる下部電極との間に印加される電場強度を調節して、反射型表示装置の表示状態を制御する構成を例示的に示す図面である。
【０２９８】
図５９の実施例で、第１粒子５２５０は、正電荷を有するが、一方、第２粒子５２６０は、負電荷を有する場合を仮定することができる。
【０２９９】
このような場合、まず、図５９の（ａ）を参照すれば、第１粒子５２５０及び第２粒子５２６０に対して上部電極５２３０の電位が下部電極、すなわち、第１部分電極５２４１及び第２部分電極５２４２の電位よりも低い方向に電場を印加すれば、正電荷を有する第１粒子５２５０は電気泳動によって上側に移動して、上部電極５２３０部分に集中して位置させ、負電荷を有する第２粒子５２６０は電気泳動によって下側に移動して、第１部分電極５２４１及び第２部分電極５２４２部分に集中して位置させうる。これにより、本発明のさらに他の実施例による反射型表示装置５２００では、第１粒子５２５０が有する固有のカラーが表示される。
【０３００】
次いで、図５９の（ｂ）を参照すれば、図５９の（ａ）の状態で、第１粒子５２５０及び第２粒子５２６０に対して上部電極５２３０の電位が下部電極、すなわち、第１部分電極５２４１及び第２部分電極５２４２の電位よりも高い方向に電場を印加すれば、正電荷を有する第１粒子５２５０は電気泳動によって下側に移動して、第１部分電極５２４１及び第２部分電極５２４２部分に集中して位置させ、負電荷を有する第２粒子５２６０は電気泳動によって上側に移動して、上部電極５２３０部分に集中して位置させうる。これにより、本発明のさらに他の実施例による反射型表示装置５２００では、第２粒子５２５０が有する固有のカラーが表示される。
【０３０１】
次いで、図５９の（ｃ）を参照すれば、図５９の（ｂ）の状態で、第１粒子５２５０及び第２粒子５２６０に対して上部電極５２３０及び第２部分電極５２４２の電位が第１部分電極５２４１の電位よりも低い方向に電場を印加すれば、正電荷を有する第１粒子５２５０は電気泳動によって移動して、上部電極５２３０または第２部分電極５２４１部分に集中して位置させ、負電荷を有する第２粒子５２６０は電気泳動によって移動して、第１部分電極５２４１部分にのみ集中して位置させうる。これにより、本発明のさらに他の実施例による反射型表示装置５２００では、第１粒子５２５０が有する固有のカラーと流体５２７０（または、下部基板５２２０）が有する固有のカラーとが混合されて表示されるか、第１粒子５２５０が有する固有のカラーが表示されながら、透光度が高くなる。
【０３０２】
次いで、図５９の（ｄ）を参照すれば、図５９の（ｃ）の状態で、第１粒子５２５０及び第２粒子５２６０に対して上部電極５２３０の電位が第２部分電極５２４２の電位よりも第１部分電極５２４１の電位よりも高いながらも、第１部分電極５２４１の電位が第２部分電極５２４２の電位よりも高い方向に電場を印加すれば、正電荷を有する第１粒子５２５０は電気泳動によって移動して、第２部分電極５２４１部分にのみ集中して位置させ、負電荷を有する第２粒子５２６０は電気泳動によって移動せず、第１部分電極５２４１部分にのみ集中して位置させうる。これにより、本発明のさらに他の実施例による反射型表示装置５２００では、流体５２７０または下部基板５２２０が有する固有のカラーが表示されるか、透光度が高くなる。
【０３０３】
図６０は、本発明のさらに他の実施例によって、上部電極なしに、下部電極を構成する第１部分電極と第２部分との間に印加される電場強度を調節して、反射型表示装置の表示状態を制御する構成を例示的に示す図面である。
【０３０４】
図６０の実施例で、第１粒子５２５０と第２粒子５２６０は、いずれも正電荷を有し、第２粒子５２６０のスレショルド値が、第１粒子５２５０のスレショルド値よりも大きな場合を仮定することができる。
【０３０５】
このような場合、まず、図６０の（ａ）を参照すれば、第１粒子５２５０及び第２粒子５２６０に対して第１部分電極５２４１または第２部分電極５２４２を通じて第２粒子５２６０のスレショルド値よりも大きな強度の正電位のパルス（ｐｕｌｓｅ）電場を周期的に印加すれば、正電荷を有する第１粒子５２５０及び第２粒子５２６０が、流体５２７０内に不規則的に分散させうる。これにより、本発明のさらに他の実施例による反射型表示装置５２００では、第１粒子５２５０が有する固有のカラー、第２カラー５２６０が有する固有のカラー及び流体５２７０（または、下部基板５２２０）が有する固有のカラーが混合されて表示される。
【０３０６】
次いで、図６０の（ｂ）を参照すれば、図６０の（ａ）の状態で、第１粒子５２５０及び第２粒子５２６０に対して第１粒子５２５０のスレショルド値よりも大きく、第２粒子５２６０のスレショルド値よりは小さな強度の電場を第１部分電極５２４１の電位が第２部分電極５２４２の電位よりも低い方向に印加すれば、第１粒子５２５０のみ電気泳動によって移動して、第１部分電極５２４１に集中して位置させ、第２粒子５２６０は電気泳動によって移動せず、流体５２７０内に不規則的に分散された状態を保持させうる。これにより、本発明のさらに他の実施例による反射型表示装置５２００では、第２粒子５２６０が有する固有のカラーと流体５２７０（または、下部基板５２２０）が有する固有のカラーとが混合されて表示されるか、第２粒子５２６０が有する固有のカラーが表示されながら、透光度が高くなる。
【０３０７】
次いで、図６０の（ｃ）を参照すれば、図６０の（ｂ）の状態で、第１粒子５２５０及び第２粒子５２６０に対して第２粒子５２６０のスレショルド値よりは大きな強度の負電位の電場を第１部分電極５２４１または第２部分電極５２４２を通じて印加すれば、第１粒子５２５０及び第２粒子５２６０いずれもが電気泳動によって移動して、第１部分電極５２４１または第２部分電極５２４２に集中して位置させうる。これにより、本発明のさらに他の実施例による反射型表示装置５２００では、流体５２７０または下部基板５２２０が有する固有のカラーが表示されるか、透光度が高くなる。
【０３０８】
次いで、まず、図６０の（ｄ）を参照すれば、図６０の（ｃ）の状態で、第１粒子５２５０及び第２粒子５２６０に対して第１部分電極５２４１または第２部分電極５２４２を通じて第１粒子５２５０のスレショルド値よりも小さく、第２粒子５２６０のスレショルド値よりは大きな強度の正電位のパルス電場を周期的に印加すれば、第２粒子５２６０は電気泳動によって移動せず、第１部分電極５２４１または第２部分電極５２４２部分にそのまま集中して位置させ、第１粒子５２５０は電気泳動によって移動して、流体５２７０内に不規則的に分散された状態にする。これにより、本発明のさらに他の実施例による反射型表示装置５２００では、第１粒子５２５０が有する固有のカラーと流体５２７０（または、下部基板５２２０）が有する固有のカラーとが混合されて表示されるか、第１粒子５２５０が有する固有のカラーが表示されながら、透光度が高くなる。
【０３０９】
以上、第１粒子と第２粒子とが混合された実施例について主に説明されているが、本発明の構成が、必ずしも前記列挙された実施例にのみ限定されるものではなく、本発明の構成が、互いにスレショルド値または応答時間を異ならせる３種の以上の粒子が混合される実施例に対しても、同様に適用可能なことは明らかである。
【０３１０】
また、以上、粒子のスレショルド値を利用する構成と粒子の応答時間を利用する構成のそれぞれに対する実施例について主に説明されているが、本発明の構成が、必ずしも前記列挙された実施例にのみ限定されるものではなく、スレショルド値と応答時間がいずれも異なる第１粒子と第２粒子とに対して印加される電場強度及び印加時間をいずれも調節することによって、粒子のスレショルド値と応答時間をいずれも用いて反射型表示装置の透光度と反射型表示装置が表示するカラーを調節する実施例も、十分に想定可能なことは明らかである。
【０３１１】
以上のように、本発明では、具体的な構成要素のような特定の事項と限定された実施例及び図面とによって説明されたが、これは、本発明のより全般的な理解を助けるために提供されたものであり、本発明は、前記の実施例に限定されるものではなく、当業者ならば、このような記載から多様な修正及び変形が可能である。
【０３１２】
したがって、本発明の思想は、説明された実施例に限って決定されてはならず、後述する特許請求の範囲だけではなく、この特許請求の範囲と均等であるか、等価的変形があるあらゆるものは、本発明の思想の範疇に属するものと言わなければならない。
【産業上の利用可能性】
【０３１３】
本発明は、反射型表示装置及びその制御方法関連の技術分野に適用可能である。
【符号の説明】
【０３１４】
１００：従来技術による反射型表示装置
２００、１８００：本発明の一実施例及び他の実施例による反射型表示装置
２１０、１８１０：上部基板
２２０、１８２０：下部基板
２３０、１８３０：上部電極
２４０、１８４０：下部電極
２５１〜２５４、１８５１〜１８５４：単位セル
２６１〜２６４、１８６１〜１８６４：粒子
２７１〜２７４、１８７０：流体
４１００：本発明のさらに他の実施例による反射型表示装置
４１１０：上部基板
４１２０：下部基板
４１３０：電極
４１４０：ベース粒子
４１５０：カラー粒子
４１６０：流体
５２００：本発明のさらに他の実施例による反射型表示装置
５２１０：上部基板
５２２０：下部基板
５２３０：上部電極
５２４０：下部電極
５２４１：第１部分電極
５２４２：第２部分電極
５２５０：第１粒子
５２６０：第２粒子
５２７０：流体
【図１】
0006472386.tif 000002
【図２】
0006472386.tif 000003
【図３】
0006472386.tif 000004
【図４Ａ】
0006472386.tif 000005
【図４Ｂ】
0006472386.tif 000006
【図４Ｃ】
0006472386.tif 000007
【図４Ｄ】
0006472386.tif 000008
【図４Ｅ】
0006472386.tif 000009
【図４Ｆ】
0006472386.tif 000010
【図４Ｇ】
0006472386.tif 000011
【図４Ｈ】
0006472386.tif 000012
【図４Ｉ】
0006472386.tif 000013
【図４Ｊ】
0006472386.tif 000014
【図４Ｋ】
0006472386.tif 000015
【図４Ｌ】
0006472386.tif 000016
【図４Ｍ】
0006472386.tif 000017
【図４Ｎ】
0006472386.tif 000018
【図４Ｏ】
0006472386.tif 000019
【図４Ｐ】
0006472386.tif 000020
【図５】
0006472386.tif 000021
【図６Ａ】
0006472386.tif 000022
【図６Ｂ】
0006472386.tif 000023
【図６Ｃ】
0006472386.tif 000024
【図６Ｄ】
0006472386.tif 000025
【図６Ｅ】
0006472386.tif 000026
【図６Ｆ】
0006472386.tif 000027
【図６Ｇ】
0006472386.tif 000028
【図６Ｈ】
0006472386.tif 000029
【図６Ｉ】
0006472386.tif 000030
【図６Ｊ】
0006472386.tif 000031
【図６Ｋ】
0006472386.tif 000032
【図６Ｌ】
0006472386.tif 000033
【図６Ｍ】
0006472386.tif 000034
【図６Ｎ】
0006472386.tif 000035
【図６Ｏ】
0006472386.tif 000036
【図６Ｐ】
0006472386.tif 000037
【図７】
0006472386.tif 000038
【図８Ａ】
0006472386.tif 000039
【図８Ｂ】
0006472386.tif 000040
【図８Ｃ】
0006472386.tif 000041
【図８Ｄ】
0006472386.tif 000042
【図８Ｅ】
0006472386.tif 000043
【図８Ｆ】
0006472386.tif 000044
【図８Ｇ】
0006472386.tif 000045
【図８Ｈ】
0006472386.tif 000046
【図８Ｉ】
0006472386.tif 000047
【図８Ｊ】
0006472386.tif 000048
【図８Ｋ】
0006472386.tif 000049
【図８Ｌ】
0006472386.tif 000050
【図８Ｍ】
0006472386.tif 000051
【図８Ｎ】
0006472386.tif 000052
【図８Ｏ】
0006472386.tif 000053
【図８Ｐ】
0006472386.tif 000054
【図９Ａ】
0006472386.tif 000055
【図９Ｂ】
0006472386.tif 000056
【図９Ｃ】
0006472386.tif 000057
【図９Ｄ】
0006472386.tif 000058
【図９Ｅ】
0006472386.tif 000059
【図９Ｆ】
0006472386.tif 000060
【図１０Ａ】
0006472386.tif 000061
【図１０Ｂ】
0006472386.tif 000062
【図１０Ｃ】
0006472386.tif 000063
【図１１】
0006472386.tif 000064
【図１２】
0006472386.tif 000065
【図１３】
0006472386.tif 000066
【図１４Ａ】
0006472386.tif 000067
【図１４Ｂ】
0006472386.tif 000068
【図１５】
0006472386.tif 000069
【図１６】
0006472386.tif 000070
【図１７】
0006472386.tif 000071
【図１８】
0006472386.tif 000072
【図１９】
0006472386.tif 000073
【図２０】
0006472386.tif 000074
【図２１】
0006472386.tif 000075
【図２２】
0006472386.tif 000076
【図２３Ａ】
0006472386.tif 000077
【図２３Ｂ】
0006472386.tif 000078
【図２３Ｃ】
0006472386.tif 000079
【図２３Ｄ】
0006472386.tif 000080
【図２３Ｅ】
0006472386.tif 000081
【図２３Ｆ】
0006472386.tif 000082
【図２３Ｇ】
0006472386.tif 000083
【図２３Ｈ】
0006472386.tif 000084
【図２３Ｉ】
0006472386.tif 000085
【図２３Ｊ】
0006472386.tif 000086
【図２３Ｋ】
0006472386.tif 000087
【図２３Ｌ】
0006472386.tif 000088
【図２３Ｍ】
0006472386.tif 000089
【図２３Ｎ】
0006472386.tif 000090
【図２３Ｏ】
0006472386.tif 000091
【図２３Ｐ】
0006472386.tif 000092
【図２４】
0006472386.tif 000093
【図２５Ａ】
0006472386.tif 000094
【図２５Ｂ】
0006472386.tif 000095
【図２５Ｃ】
0006472386.tif 000096
【図２５Ｄ】
0006472386.tif 000097
【図２５Ｅ】
0006472386.tif 000098
【図２５Ｆ】
0006472386.tif 000099
【図２５Ｇ】
0006472386.tif 000100
【図２５Ｈ】
0006472386.tif 000101
【図２５Ｉ】
0006472386.tif 000102
【図２５Ｊ】
0006472386.tif 000103
【図２５Ｋ】
0006472386.tif 000104
【図２５Ｌ】
0006472386.tif 000105
【図２５Ｍ】
0006472386.tif 000106
【図２５Ｎ】
0006472386.tif 000107
【図２５Ｏ】
0006472386.tif 000108
【図２５Ｐ】
0006472386.tif 000109
【図２６】
0006472386.tif 000110
【図２７Ａ】
0006472386.tif 000111
【図２７Ｂ】
0006472386.tif 000112
【図２７Ｃ】
0006472386.tif 000113
【図２７Ｄ】
0006472386.tif 000114
【図２７Ｅ】
0006472386.tif 000115
【図２７Ｆ】
0006472386.tif 000116
【図２７Ｇ】
0006472386.tif 000117
【図２７Ｈ】
0006472386.tif 000118
【図２７Ｉ】
0006472386.tif 000119
【図２７Ｊ】
0006472386.tif 000120
【図２７Ｋ】
0006472386.tif 000121
【図２７Ｌ】
0006472386.tif 000122
【図２７Ｍ】
0006472386.tif 000123
【図２７Ｎ】
0006472386.tif 000124
【図２７Ｏ】
0006472386.tif 000125
【図２７Ｐ】
0006472386.tif 000126
【図２８】
0006472386.tif 000127
【図２９】
0006472386.tif 000128
【図３０】
0006472386.tif 000129
【図３１】
0006472386.tif 000130
【図３２】
0006472386.tif 000131
【図３３】
0006472386.tif 000132
【図３４】
0006472386.tif 000133
【図３５】
0006472386.tif 000134
【図３６】
0006472386.tif 000135
【図３７】
0006472386.tif 000136
【図３８】
0006472386.tif 000137
【図３９】
0006472386.tif 000138
【図４０】
0006472386.tif 000139
【図４１】
0006472386.tif 000140
【図４２】
0006472386.tif 000141
【図４３】
0006472386.tif 000142
【図４４】
0006472386.tif 000143
【図４５】
0006472386.tif 000144
【図４６】
0006472386.tif 000145
【図４７】
0006472386.tif 000146
【図４８】
0006472386.tif 000147
【図４９】
0006472386.tif 000148
【図５０】
0006472386.tif 000149
【図５１】
0006472386.tif 000150
【図５２】
0006472386.tif 000151
【図５３】
0006472386.tif 000152
【図５４】
0006472386.tif 000153
【図５５】
0006472386.tif 000154
【図５６】
0006472386.tif 000155
【図５７】
0006472386.tif 000156
【図５８】
0006472386.tif 000157
【図５９】
0006472386.tif 000158
【図６０】
0006472386.tif 000159
【図６１】
0006472386.tif 000160
【図６２】
0006472386.tif 000161